(57)【要約】【課題】本発明は、データ受信装置の機能を特定することによって、データ受信装置に対応したデータ通信機能に自機器のデータ通信機能を設定することができるデータ送信装置を提供することを目的とする。【解決手段】ＡＶデータ受信装置２からデータ通信を行うためにＡＶデータ送信装置１に、自機器を表すＩＤが送信される。このＩＤを受信したＡＶデータ送信装置１では、ＩＤよりＡＶデータ受信装置２に対応する機能を確認し、この機能に応じて通信動作部分の機能変更を行う。【選択図】      図１
2004312185.tif 000002
【特許請求の範囲】
【請求項１】
データ受信装置に送信するデータを生成するデータ生成部と、受信した前記データ受信装置からのデータを解析するデータ解析部と、前記データ受信装置にデータを送信するとともに前記データ受信装置からのデータを受信する送受信部と、を備えたデータ送信装置において、
前記データ受信装置が自機器を特定する固有データそれぞれに対して、前記データ受信装置とデータ通信を行う際のデータ通信機能を特定する第１機能特定テーブルを格納した個別対応情報記憶部を備え、
前記データ送受信部を通じて前記データ解析部に前記固有データが与えられると、前記個別対応情報記憶部内の前記第１機能特定テーブルを参照して、当該固有データより特定される前記データ通信機能を確認し、確認した該データ通信機能への変更を行い、前記固有データを送信した前記データ受信装置とデータ通信可能な状態とすることを特徴とするデータ送信装置。
【請求項２】
前記固有データが前記データ受信装置毎に異なることを特徴とする請求項１に記載のデータ送信装置。
【請求項３】
前記固有データが前記データ受信装置の機種毎に異なることを特徴とする請求項１に記載のデータ送信装置。
【請求項４】
前記データ送信装置が通信可能な前記データ受信装置の前記固有データと該各固有データによって特定される前記データ通信機能とが登録される第２機能特定テーブルを前記データ送信装置毎に管理するデータ通信管理用サーバと通信を行う通信インターフェースを備え、
前記データ送受信部で受信した前記固有データが前記個別対応情報記憶部内の前記第１機能特定テーブルに登録されていないことを確認したとき、前記通信インターフェースを通じて前記データ通信管理用サーバに格納されている自機器に対する前記第２機能特定テーブルの内容を受信して、前記第１機能特定テーブルを更新することを特徴とする請求項１〜請求項３のいずれかに記載のデータ送信装置。
【請求項５】
前記データ通信管理用サーバが前記データ通信機能それぞれを実現するソフトウェアを備えるとともに、
前記第１機能特定テーブルを参照して前記送受信部で受信した前記固有データより特定される前記データ通信機能を実現するソフトウェアを自機器が備えていないことを認識すると、前記通信インターフェースを通じて前記データ通信管理用サーバより当該ソフトウェアを受信して、前記固有データより特定される前記データ通信機能への変更を行うことを特徴とする請求項４に記載のデータ送信装置。
【請求項６】
前記データ通信管理用サーバから前記第２機能特定テーブルの内容又は前記ソフトウェアを受信しているとき、電源を切断することを禁止することを特徴とする請求項４又は請求項５に記載のデータ送信装置。
【請求項７】
前記第１機能特定テーブルの内容又は前記ソフトウェアを更新しているとき、電源を切断することを禁止することを特徴とする請求項４〜請求項６のいずれかに記載のデータ送信装置。
【請求項８】
前記送受信部で受信した前記固有データが前記第１機能特定テーブルに登録されているか否かを確認することで、当該固有データを備える前記データ受信装置が自機器と通信可能である否かを確認することを特徴とする請求項１〜請求項７のいずれかに記載のデータ送信装置。
【請求項９】
前記通信インターフェースを通じて前記データ通信管理用サーバに格納されている自機器に対する前記第２機能特定テーブルに前記送受信部で受信した前記固有データが登録されているか否かを確認することによって、当該固有データを備える前記データ受信装置が自機器と通信可能である否かを確認することを認識することを特徴とする請求項４〜請求項７のいずれかに記載のデータ送信装置。
【請求項１０】
前記第１及び第２機能特定テーブルにおいて、前記データ通信機能がｎ種類設定可能である前記データ受信装置の前記固有データに対して、設定可能なｎ種類以下の前記データ通信機能が登録されることを特徴とする請求項１〜請求項９のいずれかに記載のデータ送信装置。
【請求項１１】
同一の前記データ受信装置に対する前記データ通信機能がｎ種類設定することができるとき、当該データ受信装置１台にｎ種類の前記固有データが格納され、該ｎ種類の前記固有データがそれぞれｎ種類の前記データ通信機能を表すことを特徴とする請求項１〜請求項９のいずれかに記載のデータ送信装置。
【請求項１２】
データ受信装置に送信するデータを生成するデータ生成部と、受信した前記データ受信装置からのデータを解析するデータ解析部と、前記データ受信装置にデータを送信するとともに前記データ受信装置からのデータを受信する送受信部と、を備えたデータ送信装置において、
前記データ受信装置が自機器に対するデータ通信機能を特定する機能データの各符号に対する前記データ通信機能が登録された第１機能特定テーブルを格納した個別対応情報記憶部を備え、
前記データ送受信部を通じて前記データ解析部に前記機能データが与えられると、前記個別対応情報記憶部内の前記第１機能特定テーブルを参照して、当該機能データの符号より特定される前記データ通信機能を確認し、確認した該データ通信機能への変更を行い、前記機能データを送信した前記データ受信装置とデータ通信可能な状態とすることを特徴とするデータ送信装置。
【請求項１３】
前記機能データの全ての符号に割り当てられた前記データ通信機能が登録される第２機能特定テーブルを管理するデータ通信管理用サーバと通信を行う通信インターフェースを備え、
前記データ送受信部で受信した前記機能データによる符号が前記個別対応情報記憶部内の前記第１機能特定テーブルに登録されていないことを確認したとき、前記通信インターフェースを通じて前記データ通信管理用サーバに格納されている前記第２機能特定テーブルの内容を受信して、前記第１機能特定テーブルを更新することを特徴とする請求項１２に記載のデータ送信装置。
【請求項１４】
前記データ通信管理用サーバが前記データ通信機能それぞれを実現するソフトウェアを備えるとともに、
前記第１機能特定テーブルを参照して前記送受信部で受信した前記機能データより特定される前記データ通信機能を実現するソフトウェアを自機器が備えていないことを認識すると、前記通信インターフェースを通じて前記データ通信管理用サーバより当該ソフトウェアを受信して、前記機能データより特定される前記データ通信機能への変更を行うことを特徴とする請求項１３に記載のデータ送信装置。
【請求項１５】
前記データ通信管理用サーバから前記第２機能特定テーブルの内容又は前記ソフトウェアを受信しているとき、電源を切断することを禁止することを特徴とする請求項１３又は請求項１４に記載のデータ送信装置。
【請求項１６】
前記第１機能特定テーブルの内容又は前記ソフトウェアを更新しているとき、電源を切断することを禁止することを特徴とする請求項１３〜請求項１５のいずれかに記載のデータ送信装置。
【請求項１７】
前記データ受信装置が自機器を特定するとともに前記データ受信装置毎に異なる固有データを前記機能データとともに前記送受信部で受信することを特徴とする請求項１２〜請求項１６のいずれかに記載のデータ送信装置。
【請求項１８】
前記データ受信装置が自機器を特定するとともに前記データ受信装置毎に異なる固有データを前記送受信部で受信するとともに、
前記個別対応情報記憶部に通信可能な前記データ受信装置の前記固有データを登録した第１装置テーブルを格納し、
前記データ送受信部を通じて前記データ解析部に前記固有データが与えられると、前記個別対応情報記憶部内の前記第１装置テーブルを参照して、当該固有データより特定される前記データ受信装置が通信可能であるか否かを確認することを特徴とする請求項１２〜請求項１６のいずれかに記載のデータ送信装置。
【請求項１９】
前記データ送信装置が通信可能な前記データ受信装置の前記固有データを登録した第２装置テーブルを前記データ送信装置毎に管理するデータ通信管理用サーバと通信を行う通信インターフェースを備え、
前記データ送受信部で受信した前記固有データが前記個別対応情報記憶部内の前記第１装置テーブルに登録されていないことを確認したとき、前記通信インターフェースを通じて前記データ通信管理用サーバに格納されている自機器に対する前記第２装置テーブルの内容を受信して、前記第１装置テーブルを更新することを特徴とする請求項１８に記載のデータ送信装置。
【請求項２０】
前記データ通信管理用サーバから前記第２装置テーブルの内容を受信しているとき、電源を切断することを禁止することを特徴とする請求項１９に記載のデータ送信装置。
【請求項２１】
前記第１装置テーブルの内容を更新しているとき、電源を切断することを禁止することを特徴とする請求項１９又は請求項２０に記載のデータ送信装置。
【請求項２２】
前記固有データと前記機能データとによって構成される１つの装置データが前記データ受信装置より送信されるとともに、当該装置データを前記送受信部で受信することを特徴とする請求項１７〜請求項２１のいずれかに記載のデータ送信装置。
【請求項２３】
前記機能データが、前記データ通信機能を特定する複数種類の機能条件に対する機能条件データより構成され、
前記第１機能特定テーブルにおいて、前記各機能条件データが表す符号毎に対応する前記機能条件が登録されることを特徴とする請求項１２〜請求項２２のいずれかに記載のデータ送信装置。
【請求項２４】
前記各機能条件データにおいて、桁毎に割り当てられた条件を示すことを特徴とする請求項２３に記載のデータ送信装置。
【請求項２５】
前記機能条件データが複数種類の条件を示す符号を備えることを特徴とする請求項２３又は請求項２４に記載のデータ送信装置。
【請求項２６】
前記機能データが複数種類の前記データ通信機能を示す符号を備えることを特徴とする請求項１２〜請求項２２のいずれかに記載のデータ送信装置。
【請求項２７】
前記データ通信機能を複数種類備える前記データ受信装置に対する機能変更を行うとき、最適な動作条件とする前記データ通信機能を選択することを特徴とする請求項１０又は請求項２５又は請求項２６に記載のデータ送信装置。
【請求項２８】
前記データ通信機能を複数種類備える前記データ受信装置に対する機能変更を行うとき、ユーザによって選択された動作条件に近い動作条件とする前記データ通信機能を選択することを特徴とする請求項１０又は請求項２５又は請求項２６に記載のデータ送信装置。
【請求項２９】
ユーザにより操作される入力部を備え、
前記データ通信機能を複数種類備える前記データ受信装置に対する機能変更を行うとき、前記入力部によって入力された前記データ通信機能を選択することを特徴とする請求項１０又は請求項２５又は請求項２６に記載のデータ送信装置。
【請求項３０】
前記データ通信機能を複数種類備える前記データ受信装置に対する機能変更を行うとき、前記送受信部で受信した前記データ受信装置を通じて通知された前記データ通信機能を選択することを特徴とする請求項１０又は請求項２５又は請求項２６に記載のデータ送信装置。
【請求項３１】
自機器と前回データ通信を行った際に設定された前記データ通信機能を前記データ受信装置毎に登録した前回利用時設定テーブルが前記個別対応情報記憶部に格納されるとともに、
前記データ通信機能を複数種類備える前記データ受信装置に対する機能変更を行うとき、当該データ受信装置に対する前記前回利用設定テーブルに登録された前記データ通信機能を選択することを特徴とする請求項１０又は請求項２５又は請求項２６に記載のデータ送信装置。
【請求項３２】
同一の前記データ受信装置に対する複数種類の前記データ通信機能の１つを基本データ通信機能とするとともに、
前記データ通信機能を複数種類備える前記データ受信装置に対する機能変更を行うとき、前記基本データ通信機能を選択することを特徴とする請求項１０又は請求項２５又は請求項２６に記載のデータ送信装置。
【請求項３３】
前記データ受信装置と通信を行うデータが著作権を備えるデータであり、変更する前記データ通信機能の一つが、前記データ生成部における著作権暗号化方式であることを特徴とする請求項１〜請求項３２のいずれかに記載のデータ送信装置。
【請求項３４】
前記データ受信装置と通信を行うデータがＡＶデータであり、変更する前記データ通信機能の一つが、当該ＡＶデータにおける映像信号の圧縮方式及び解像度及びビットレート及びフレームレートそれぞれに対する前記データ生成部におけるデータフォーマットであることを特徴とする請求項１〜請求項３３のいずれかに記載のデータ送信装置。
【請求項３５】
前記データ受信装置と通信を行うデータがＡＶデータであり、変更する前記データ通信機能の一つが、当該ＡＶデータにおける音声信号の圧縮方式及びビットレートそれぞれに対する前記データ生成部におけるデータフォーマットであることを特徴とする請求項１〜請求項３４のいずれかに記載のデータ送信装置。
【請求項３６】
変更する前記データ通信機能の一つが、前記データにおける最適パケットのデータ長に対する前記データ生成部におけるデータフォーマットであることを特徴とする請求項１〜請求項３５のいずれかに記載のデータ送信装置。
【請求項３７】
変更する前記データ通信機能の一つが、前記送受信部で前記データ受信装置から受信したデータを前記データ解析部においてデータ解析するデータフォーマットであることを特徴とする請求項１〜請求項３６のいずれかに記載のデータ送信装置。
【請求項３８】
前記データ通信機能を変更しているとき、電源を切断することを禁止することを特徴とする請求項１〜請求項３７のいずれかに記載のデータ送信装置。
【請求項３９】
受信したデータ送信装置からのデータを解析するデータ解析部と、前記データ送信装置に送信するデータを生成するデータ生成部と、前記データ送信装置からのデータを受信するとともに前記データ送信装置にデータを送信する送受信部と、を備えたデータ受信装置において、
自機器を特定する固有データを格納した固有データ部を備え、
該固有データ部より読み出した前記固有データを前記データ送受信部より前記データ送信装置に送信することによって、前記データ送信装置に自機器に対応するデータ通信機能を認識させて、当該データ通信機能に変更させてデータ通信可能な状態とすることを特徴とするデータ受信装置。
【請求項４０】
前記固有データが前記データ受信装置毎に異なることを特徴とする請求項３９に記載のデータ受信装置。
【請求項４１】
前記固有データが前記データ受信装置の機種毎に異なることを特徴とする請求項３９に記載のデータ受信装置。
【請求項４２】
前記データ送信装置で設定される前記データ通信機能をｎ種類備え、前記データ通信機能がｎ種類設定可能であることを前記固有データにより前記データ送信装置が確認できることを特徴とする請求項３９〜請求項４１のいずれかに記載のデータ受信装置。
【請求項４３】
前記データ送信装置で設定される前記データ通信機能をｎ種類備え、設定可能な前記データ通信機能それぞれに対するｎ種類の前記固有データを前記固有データ部に記録することを特徴とする請求項３９〜請求項４１のいずれかに記載のデータ受信装置。
【請求項４４】
受信したデータ送信装置からのデータを解析するデータ解析部と、前記データ送信装置に送信するデータを生成するデータ生成部と、前記データ送信装置からのデータを受信するとともに前記データ送信装置にデータを送信する送受信部と、を備えたデータ受信装置において、
自機器に対するデータ通信機能を特定する符号により構成される機能データを格納した固有データ部を備え、
該固有データ部より読み出した前記機能データを前記データ送受信部より前記データ送信装置に送信することによって、前記データ送信装置に自機器に対応するデータ通信機能を認識させて、当該データ通信機能に変更させてデータ通信可能な状態とすることを特徴とするデータ受信装置。
【請求項４５】
自機器を特定するとともに各装置毎に異なる固有データを前記固有データ部に格納し、当該固有データを前記機能データとともに前記送受信部より送信することを特徴とする請求項４４に記載のデータ受信装置。
【請求項４６】
前記固有データと前記機能データとによって構成される１つの装置データを前記固有データ部に格納し、当該装置データを前記送受信部より送信することを特徴とする請求項４５に記載のデータ受信装置。
【請求項４７】
前記機能データが、前記データ通信機能を特定する複数種類の機能条件に対する機能条件データより構成されることを特徴とする請求項４４〜請求項４６のいずれかに記載のデータ受信装置。
【請求項４８】
前記各機能条件データにおいて、桁毎に割り当てられた条件を示すことを特徴とする請求項４７に記載のデータ受信装置。
【請求項４９】
前記機能条件データが複数種類の条件を示す符号を備えることを特徴とする請求項４７又は請求項４８に記載のデータ受信装置。
【請求項５０】
前記機能データが複数種類の前記データ通信機能を示す符号を備えることを特徴とする請求項４４〜請求項４６のいずれかに記載のデータ受信装置。
【請求項５１】
ユーザにより操作される入力部を備え、
前記データ通信機能を複数種類備えるとき、前記入力部によって入力された前記データ通信機能を前記送受信部より前記データ送信部に送信して通知することを特徴とする請求項４２又は請求項４９又は請求項５０に記載のデータ受信装置。
【請求項５２】
前記データ送信装置と通信を行うデータが著作権を備えるデータであることを特徴とする請求項３９〜請求項５１のいずれかに記載のデータ受信装置。
【請求項５３】
前記データ送信装置と通信を行うデータがＡＶデータであることを特徴とする請求項３９〜請求項５２のいずれかに記載のデータ受信装置。
【請求項５４】
請求項１〜請求項３８のいずれかに記載のデータ送信装置と、当該データ送信装置とデータ通信を行う前記データ受信装置とによって構成されるとともに、
前記データ送信装置が前記データ受信装置とデータ通信を行う際に、前記データ受信装置に応じた前記データ通信機能に設定されることを特徴とするデータ通信システム。
【請求項５５】
請求項３９〜請求項５３のいずれかに記載のデータ受信装置と、当該データ受信装置とデータ通信を行う前記データ送信装置とによって構成されるとともに、
前記データ送信装置が前記データ受信装置とデータ通信を行う際に、前記データ受信装置に応じた前記データ通信機能に設定されることを特徴とするデータ通信システム。
【請求項５６】
請求項１〜請求項３８のいずれかに記載のデータ送信装置と、請求項３９〜請求項５３のいずれかに記載のデータ受信装置とによって構成されるとともに、
前記データ送信装置が前記データ受信装置とデータ通信を行う際に、前記データ受信装置に応じた前記データ通信機能に設定されることを特徴とするデータ通信システム。
【請求項５７】
請求項５〜請求項１１又は請求項１３〜請求項３８のいずれかに記載のデータ送信装置とデータの送受信を行う通信インターフェースと、
該通信インターフェースより前記データ送信装置に送信するデータを格納する記録装置部と、
を備えることを特徴とするデータ通信管理用サーバ。
【発明の詳細な説明】
【０００１】
【発明の属する技術分野】
本発明は、データ通信を行うデータ送信装置及びデータ受信装置及びデータ通信システムに関するもので、特に、データ通信機能を一致させてデータ通信を行うデータ送信装置及びデータ受信装置及びデータ通信システムに関する。
【０００２】
【従来の技術】
近年、有線接続の煩雑さと無線技術の発達により、チューナ、ビデオ、ＤＶＤなどのＡＶソース機器からディスプレイやプロジェクタなどのＡＶ再生装置に対してＡＶデータを送信し、ＡＶ再生装置において映像や音声を表示又は出力するＡＶデータ無線通信システムが提供されている（特許文献１、特許文献２参照）。このようなＡＶデータ無線通信システムにおけるＡＶデータ送信装置及びＡＶデータ受信装置それぞれの構成を、図２８及び図２９に示す。
【０００３】
図２８に示すＡＶデータ送信装置１００は、装置全体の制御を行うＣＰＵ１０１と、ＣＰＵ１０１及びメインメモリ１０４と他のブロックとのデータのやりとりを行うシステム制御部１０２と、装置の最も基本的な動作に関する設定及びプログラムが格納されているとともに電源ＯＮ時にこの設定及びプログラムに従って動作するＢＩＯＳ部１０３と、ＣＰＵ１０１によって管理されるとともにプログラムやデータ等が記憶されるメインメモリ１０４と、表示部１０７の表示動作を制御する表示制御部１０５と、表示部１０７に表示させる１フレーム分の画像データを記録したビデオメモリ１０５ａと、大容量のプログラム及びデータを格納しているハードディスクや大容量の不揮発性メモリ等により構成される記録装置部１０６と、ＬＣＤ（Ｌｉｑｕｉｄ  Ｃｒｙｓｔａｌ  Ｄｉｓｐｌａｙ）などの表示部１０７と、入力部１０９による入力データの認識を行う入力制御部１０８と、電源スイッチやキーボードやマウスやリモコン等のユーザによって操作される入力部１０９と、を備える。
【０００４】
又、このＡＶデータ送信装置１００は、送信機能として、アナログの映像信号をデジタル化する映像ＡＤ変換部１１０と、デジタル化された映像信号をＡＶデータ受信装置２００の受信機能に合わせてデータ変換する映像エンコード部１１１と、アナログの音声信号をデジタル化する音声ＡＤ変換部１１２と、デジタル化された音声信号をＡＶデータ受信装置２００の受信機能に合わせてデータ変換する音声エンコード部１１３と、データ変換された映像信号及び音声信号を通信形態に合わせてパケット化するデータ生成部１１４と、誤り訂正符号を付加する誤り訂正符号部１１５と、誤り訂正符号が付加されたデータパケットをメインメモリ１０４内の暗号化コードにより暗号化する暗号化部１１６と、を備える。
【０００５】
又、このＡＶデータ送信装置１００は、受信機能として、ＢＢ部１２０からの受信したデータパケットをメインメモリ１０４内の暗号化コードにより暗号化解除する暗号化解除部１１７と、暗号化解除されたデータパケットの判定と整理を行うとともに再送要求が必要な場合は再送要求確認部１１９に再送要求を行うデータ受信装置１１８と、データ受信部１１８からの再送要求に従い再送要求のデータを作成しデータ生成部１１４より再送要求パケットを送信するように通知する再送要求確認部１１９と、を備える。
【０００６】
更に、このＡＶデータ送信装置１００は、通信に合わした手順で暗号化されたデータパケットをベースバンド信号に変換するとともに受信したベースバンド信号を機器が扱えるデータパケットに変換するＢＢ部１２０と、ベースバンド信号を高周波信号に変調するとともに高周波信号をベースバンド信号に復調するＲＦ部１２１と、無線通信を行うアンテナ１２２と、システム制御部１０２と映像ＡＤ変換部１１０及び映像エンコード部１１１及びデータ生成部１１４及び暗号化部１１６及び暗号化解除部１１７及びデータ受信部１１８との間のデータのやりとりを行うためのバス回線１２３とを備える。又、音声ＡＤ変換部１１２が映像ＡＤ変換部１１０及びバス回線１２３を通じて、音声エンコード部１１３が映像エンコード部１１１及びバス回線１２３を通じて、それぞれシステム制御部１０２とデータのやりとりを行う。
【０００７】
このようなＡＶデータ送信装置１００には、テレビアンテナやビデオ入力やＤ端子やＬＲ音声の入力信号から映像信号及び音声信号を復調するＴＶチューナビデオ部１３０と、ＣＤやＤＶＤやメモリカードや光磁気ディスク等の記録媒体のＡＶデータを再生して映像信号及び音声信号を復調する記録デバイス再生部１３１とが備えられる。このＴＶチューナビデオ部１３０及び記録デバイス再生部１３１は、外付けの別機器としても構わない。
【０００８】
図２９に示すＡＶデータ受信装置２００は、ＡＶデータ送信装置１００のブロック１０１〜１０５，１０５ａ，１０７〜１０９，１１４〜１１８，１２０〜１２２それぞれと同様の機能を備えたＣＰＵ２０１、システム制御部２０２、ＢＩＯＳ部２０３、メインメモリ２０４、表示制御部２０５、ビデオメモリ２０５ａ、表示部２０７、入力制御部２０８、入力部２０９、データ生成部２１６、誤り訂正符号部２１７、暗号化部２１８、暗号解除部２１３、データ受信部２１４、再送要求部２１５、ＢＢ部２１２、ＲＦ部２１１、及びアンテナ２１０を備える。
【０００９】
このとき、表示部２０７としては、ＬＣＤやＣＲＴ（Ｃａｔｈｏｄｅ  Ｒａｙ  Ｔｕｂｅ）によって構成され、データ受信部２１３は、データパケットより映像信号及び音声信号を分離して映像デコード部２１９及び音声デコード部２２０に送出する。又、データ生成部２１６は、ＡＶデータ受信の為に様々な情報（通信パケットのアクノリッジ（ＡＣＫ信号）や再送要求コマンドなど）やリモコンの制御内容のデータを通信形態に合わせてパケット化する。
【００１０】
更に、このＡＶデータ受信装置２００は、データ受信部２１４に与えられたデータパケットの状態より再送をＡＶデータ送信装置１００に要求するデータパケットを確認し再送要求データを生成してデータ生成部２１６に与える再送要求部２１５と、データ受信部２１４で得られた映像信号を表示部２０７で表示できるような映像へのデータ変換を行う映像デコード部２１９と、データ受信部２１４で得られた音声信号を音声出力部２２１で出力できるような音声へのデータ変換を行う音声デコード部２２０と、音声デコード部２２０からのデータを人間に聞こえる音に変調するスピーカー等の音声出力部２２１と、を備える。
【００１１】
このようにＡＶデータ送信装置１００及びＡＶデータ受信装置２００が構成されているとき、ＡＶデータ送信装置１００では、ＴＶチューナビデオ部１３０又は記録デバイス再生部１３１で得られたアナログの映像信号及び音声信号が映像ＡＤ変換部１１０及び音声ＡＤ変換部１１２でデジタル化された後、映像エンコード部１１１及び音声エンコード部１１３を介してデータ生成部１１４に与えられデータパケットが生成される。尚、ＴＶチューナビデオ部１３０又は記録デバイス再生部１３１で得られた映像信号及び音声信号がデジタルである場合は、映像ＡＤ変換部１１０及び音声ＡＤ変換部１１２でデジタル化されることなく、映像エンコード部１１１及び音声エンコード部１１３に送出される。
【００１２】
又、データ生成部１１４は、再送要求確認部１１９で再送要求されていることが確認されるデータパケットを認識し、この再送要求されているデータパケットと、映像エンコード部１１１及び音声エンコード部１１２からの映像信号及び音声信号により生成したデータパケットとを、誤り訂正符号部１１５に与える。そして、誤り訂正符号部１１５でデータパケットに誤り訂正符号が付加されると、暗号化部１１６において、メインメモリ１０４内の暗号化コードがシステム制御部１０２及びバス回線１２３を通じて与えられ、この暗号化コードを用いて暗号化する。その後、暗号化されたデータパケットが、ＢＢ部１２０でベースバンド信号に変換された後、ＲＦ部１２１で高周波信号に変調されて、アンテナ１２２より送信される。
【００１３】
このＡＶデータ送信装置１００から送信される高周波信号を、ＡＶデータ受信装置２００がアンテナ２１０で受信すると、ＲＦ部２１１でベースバンド信号に復調した後、このベースバンド信号をＢＢ部２１２でデータパケットに変換する。そして、暗号化解除部２１３で、メインメモリ２０４内の暗号化コードがシステム制御部２０２及びバス回線２２２を通じて与えられ、ＢＢ部２１２から与えられるデータパケットが暗号化解除される。そして、データ受信部２１４において、誤り訂正符号部２１７から与えられる誤り訂正符号を用いてデータパケットが誤り訂正された後に映像信号と音声信号に分離されると、映像信号及び音声信号がそれぞれ映像デコード部２１９及び音声デコード部２２０で復号化される。
【００１４】
そして、映像デコード部２１９で映像信号がデータ変換されてバス回線２２２及びシステム制御部２０２を通じて表示制御部２０５に与えられると、データ変換されて得られた映像データが１フレームごとにビデオメモリ２０５ａに格納される。そして、ビデオメモリ２０５ａ内の映像データの再生時刻となると表示制御部２０５によって読み出されて映像が表示部２０７に表示される。又、音声デコード部２２０でデータ変換されて得られた音声データが音声出力部２２１に与えられて音声が出力される。
【００１５】
又、入力部２０９からのＡＶデータ送信装置１００を動作制御するための制御データが入力されると、入力制御部２０８及びシステム制御部２０２及びバス回線２２２を介してデータ生成部２１６に与えられる。又、データ受信部２１６において受信したデータパケットより再送要求するデータパケットが再送要求部２１５に伝えられるため、データ生成部２１６では、再送要求部２１５における再送要求データに基づいて、正常に受信したことを示すＡＣＫ信号や再送要求コマンドを生成する。そして、このデータ生成部２１６において、ＡＣＫ信号や再送要求コマンドや制御データなどをパケットデータ化する。
【００１６】
データ生成部２１６から送出されるデータパケットが誤り訂正符号部２１７で誤り訂正符号が付加された後に、暗号化部２１８で、システム制御部２０２及びバス回線２２２を介して与えられるメインメモリ２０４内の暗号化コードによって暗号化される。そして、ＢＢ部２１２でベースバンド信号に変換された後、ＲＦ部２１１で高周波信号に変調されて、アンテナ２１０よりＡＶデータ送信装置１００に送信される。
【００１７】
このような高周波信号をＡＶデータ送信装置１００がアンテナ１２２を介して受信すると、ＲＦ部１２１でベースバンド信号に復調した後、ＢＢ部１２０でデータパケットに変換する。このデータパケットが、暗号化解除部１１７において、システム制御部１０２及びバス回線１２３を介して与えられるメインメモリ１０４内の暗号化コードによって暗号化解除された後、データ受信部１１８で誤り訂正符号部１１５における誤り訂正符号により誤り訂正が行われる。
【００１８】
そして、データ受信部１１８において、得られたデータパケットがＡＣＫ信号であるとき、正常受信したことを再送要求確認部１１９に通知し、再送要求コマンドであるとき、再送要求データを再送要求確認部１１９に送出し、制御データであるとき、制御データをバス回線１２３を介してシステム制御部１０２に送出する。よって、再送要求データを受けた再送要求確認部１１９では、再送要求データより再送要求するデータパケットを確認してデータ生成部１１４に通知する。又、制御データを受けたシステム制御部１０２では、制御データに従った制御動作を行うように、各ブロックを動作させる。
【００１９】
【特許文献１】
特開平９−７４４９８号公報
【特許文献２】
特開２０００−２５１４５６号公報
【００２０】
【発明が解決しようとする課題】
【００２１】
このように動作するＡＶデータ送信装置１００及びＡＶデータ受信装置２００の制御動作や機能に関しては固定的であり、両装置が対応するようににＢＩＯＳ部１０３，２０３等のプログラムに書き込まれており、一般に変更できない。又、この制御動作や機能を変更する場合も、ＡＶデータ送信装置１００及びＡＶデータ受信装置２００が対応するように、それぞれのＢＩＯＳ部１０３，２０３を同時に変更する必要がある。このため、予め組合せが定められたＡＶデータ送信装置１００とＡＶデータ受信装置２００との間でしかＡＶデータを無線伝送できない。
【００２２】
よって、特許文献１及び特許文献２などで開示されている従来の技術では、ＡＶデータ送信装置とＡＶデータ受信装置との間で機能合わせも実施する必要があり、その結果、出荷時に決められた機器でしか、ＡＶ無線伝送を行うことができない。即ち、ＡＶデータ送信装置又はＡＶデータ受信装置を新規にすれば、それに対応するＡＶデータ受信装置及びＡＶデータ送信装置も買い換える必要が生じる。
【００２３】
このような問題を鑑みて、本発明は、データ受信装置の機能を特定することによって、データ受信装置に対応したデータ通信機能に自機器のデータ通信機能を設定することができるデータ送信装置を提供することを目的とする。又、本発明は、このようなデータ送信装置に対して自機器の機能を特定させるための信号を送信するデータ受信装置を提供することを別の目的とする。更に、本発明は、このようなデータ送信装置及びデータ受信装置によるデータ通信システムを提供することを別の目的とする。更に、このデータ通信システムにおいてデータ通信機能を特定するデータの管理を行うデータ通信用管理サーバを提供することを別の目的とする。
【００２４】
【課題を解決するための手段】
上記目的を達成するために、本発明のデータ送信装置は、データ受信装置に送信するデータを生成するデータ生成部と、受信した前記データ受信装置からのデータを解析するデータ解析部と、前記データ受信装置にデータを送信するとともに前記データ受信装置からのデータを受信する送受信部と、を備えたデータ送信装置において、前記データ受信装置が自機器を特定する固有データそれぞれに対して、前記データ受信装置とデータ通信を行う際のデータ通信機能を特定する第１機能特定テーブルを格納した個別対応情報記憶部を備え、前記データ送受信部を通じて前記データ解析部に前記固有データが与えられると、前記個別対応情報記憶部内の前記第１機能特定テーブルを参照して、当該固有データより特定される前記データ通信機能を確認し、確認した該データ通信機能への変更を行い、前記固有データを送信した前記データ受信装置とデータ通信可能な状態とすることを特徴とする。
【００２５】
このような構成のデータ送信装置は、前記データ受信装置からデータ通信を行うことが要求されるとき、前記データ受信装置から前記固有データを前記送受信部で受信し、前記個別対応情報記憶部内の前記第１機能特定テーブルを参照することで、当該固有データに基づく前記データ受信装置に対応する前記データ通信機能を確認し、前記データ受信装置とのデータ通信が可能な状態となるように、前記データ生成部及び前記データ解析部の機能変更を行う。又、このような機能変更を行うために、前記第１機能特定テーブル内に登録した前記データ通信機能それぞれを実現するためのソフトウェアを格納し、当該ソフトウェアを変更することで前記データ通信機能の変更を行う。
【００２６】
又、このようなデータ送信装置において、前記固有データを前記データ受信装置毎に異なるものとすることで、前記固有データより前記データ受信装置を確認することができ、確認した前記データ受信装置に対応した前記データ通信機能の変更を行うことができる。又、前記固有データを前記データ受信装置の機種毎に異なるものとすることで、前記固有データより前記データ受信装置の機種を確認することができ、確認した機種に対応した前記データ通信機能の変更を行うことができる。
【００２７】
又、前記データ送信装置が通信可能な全ての前記データ受信装置の前記固有データと該各固有データによって特定される前記データ通信機能とが登録される第２機能特定テーブルを前記データ送信装置毎に管理するデータ通信管理用サーバと通信を行う通信インターフェースを備え、前記データ送受信部で受信した前記固有データが前記個別対応情報記憶部内の前記第１機能特定テーブルに登録されていないことを確認したとき、前記通信インターフェースを通じて前記データ通信管理用サーバに格納されている自機器に対する前記第２機能特定テーブルの内容を受信して、前記第１機能特定テーブルを更新する。
【００２８】
このようにすることで、前記データ通信管理用サーバに前記データ送信装置が通信可能な前記データ受信装置に関する前記固有データ及び前記データ通信機能が前記第２機能特定テーブルに登録される。よって、前記データ通信管理用サーバでは、前記データ送信装置毎に前記第２機能特定テーブルが生成されることで、前記データ送信装置それぞれに対して通信可能な前記データ受信装置が管理される。
【００２９】
このとき、前記データ送信装置が備える前記第１機能特定テーブルを前記第２機能特定テーブルの内容に更新する際、前記第１機能特定テーブルに備えられていない現在データ通信を要求している前記データ受信装置に対する前記データ通信機能のみを更新するようにしても構わないし、前記第１機能特定テーブルに備えられていない全ての前記固有データ及び当該固有データそれぞれに対する前記データ通信機能を更新するようにしても構わない。又、定期的に前記第１機能特定テーブルの内容を更新するようにしても構わないし、ユーザによって前記第１機能特定テーブルの内容を更新するように指示されたときに行うようにしても構わない。
【００３０】
又、前記データ通信管理用サーバが前記データ通信機能それぞれを実現するソフトウェアを備えるとともに、前記第１機能特定テーブルを参照して前記送受信部で受信した前記固有データより特定される前記データ通信機能を実現するソフトウェアを自機器が備えていないことを認識すると、前記通信インターフェースを通じて前記データ通信管理用サーバより当該ソフトウェアを受信して、前記固有データより特定される前記データ通信機能への変更を行う。
【００３１】
このとき、前記データ通信管理サーバから前記ソフトウェアを受信する際、現在データ通信を要求している前記データ受信装置に対する前記データ通信機能における前記ソフトウェアのみを前記データ通信用管理サーバから受信するようにしても構わないし、前記データ送信装置に備えられていない前記ソフトウェア全てを前記データ通信用管理サーバから受信するようにしても構わない。又、前記データ送信装置に備えられていない前記ソフトウェア全てを受信するとき、受信する前記ソフトウェアは前記データ送信装置と通信可能な前記データ受信装置に対する前記データ通信機能におけるものとしても構わない。又、定期的に前記ソフトウェアを受信するようにしても構わないし、ユーザによって前記ソフトウェアを受信するように指示されたときに行うようにしても構わない。
【００３２】
更に、前記データ通信管理用サーバから前記第２機能特定テーブルの内容又は前記ソフトウェアを受信しているとき、電源を切断することを禁止するものとしても構わない。又、前記第１機能特定テーブルの内容又は前記ソフトウェアを更新しているとき、電源を切断することを禁止するものとしても構わない。このとき、強制的に電源を切断するための特別の操作が成されたときは、電源の切断動作を行うようにしても構わない。
【００３３】
又、上述のデータ送信装置において、前記送受信部で受信した前記固有データが前記第１機能特定テーブルに登録されているか否かを確認することで、当該固有データを備える前記データ受信装置が自機器と通信可能である否かを確認する。又、前記データ通信管理用サーバと通信可能なデータ送信装置において、前記通信インターフェースを通じて前記データ通信管理用サーバに格納されている自機器に対する前記第２機能特定テーブルに前記送受信部で受信した前記固有データが登録されているか否かを確認することによって、当該固有データを備える前記データ受信装置が自機器と通信可能である否かを確認することを認識する。
【００３４】
前記第１及び第２機能特定テーブルにおいて、前記データ通信機能がｎ種類設定可能である前記データ受信装置の前記固有データに対して、設定可能なｎ種類の前記データ通信機能が登録されるものとしても構わない。このとき、複数種類の前記データ通信機能に対応した前記データ受信装置から前記固有データを受信したとき、当該固有データを前記第１機能特定テーブルで参照することで、前記データ受信装置が対応可能な種類の前記データ通信機能を全て確認することができる。
【００３５】
又、同一の前記データ受信装置に対する前記データ通信機能がｎ種類設定することができるとき、当該データ受信装置１台にｎ種類の前記固有データが格納され、該ｎ種類の前記固有データがそれぞれｎ種類の前記データ通信機能を表すようにしても構わない。このとき、複数種類の前記データ通信機能に対応した前記データ受信装置から前記固有データを受信したとき、当該固有データに応じた前記データ通信機能を前記第１機能特定テーブルで確認し、機能変更を行うことができる。
【００３６】
又、本発明のデータ送信装置は、データ受信装置に送信するデータを生成するデータ生成部と、受信した前記データ受信装置からのデータを解析するデータ解析部と、前記データ受信装置にデータを送信するとともに前記データ受信装置からのデータを受信する送受信部と、を備えたデータ送信装置において、前記データ受信装置が自機器に対するデータ通信機能を特定する機能データの各符号に対する前記データ通信機能が登録された第１機能特定テーブルを格納した個別対応情報記憶部を備え、前記データ送受信部を通じて前記データ解析部に前記機能データが与えられると、前記個別対応情報記憶部内の前記第１機能特定テーブルを参照して、当該機能データの符号より特定される前記データ通信機能を確認し、確認した該データ通信機能への変更を行い、前記機能データを送信した前記データ受信装置とデータ通信可能な状態とすることを特徴とする。
【００３７】
このような構成のデータ送信装置は、前記データ受信装置からデータ通信を行うことが要求されるとき、前記データ受信装置から前記機能データを前記送受信部で受信し、前記個別対応情報記憶部内の前記第１機能特定テーブルを参照することで、当該機能データに基づく前記データ受信装置に対応する前記データ通信機能を確認し、前記データ受信装置とのデータ通信が可能な状態となるように、前記データ生成部及び前記データ解析部の機能変更を行う。又、このような機能変更を行うために、前記第１機能特定テーブル内に登録した前記データ通信機能それぞれを実現するためのソフトウェアを格納し、当該ソフトウェアを変更することで前記データ通信機能の変更を行う。
【００３８】
又、このようなデータ送信装置において、前記機能データの全ての符号に割り当てられた前記データ通信機能が登録される第２機能特定テーブルを管理するデータ通信管理用サーバと通信を行う通信インターフェースを備え、前記データ送受信部で受信した前記機能データによる符号が前記個別対応情報記憶部内の前記第１機能特定テーブルに登録されていないことを確認したとき、前記通信インターフェースを通じて前記データ通信管理用サーバに格納されている前記第２機能特定テーブルの内容を受信して、前記第１機能特定テーブルを更新する。
【００３９】
このとき、前記データ送信装置が備える前記第１機能特定テーブルを前記第２機能特定テーブルの内容に更新する際、前記第１機能特定テーブルに備えられていない現在データ通信を要求している前記データ受信装置に対する前記データ通信機能のみを更新するようにしても構わないし、前記第１機能特定テーブルに備えられていない全ての前記機能データ及び当該固有データそれぞれに対する前記データ通信機能を更新するようにしても構わない。又、定期的に前記第１機能特定テーブルの内容を更新するようにしても構わないし、ユーザによって前記第１機能特定テーブルの内容を更新するように指示されたときに行うようにしても構わない。
【００４０】
又、前記データ通信管理用サーバが前記データ通信機能それぞれを実現するソフトウェアを備えるとともに、前記第１機能特定テーブルを参照して前記送受信部で受信した前記機能データより特定される前記データ通信機能を実現するソフトウェアを自機器が備えていないことを認識すると、前記通信インターフェースを通じて前記データ通信管理用サーバより当該ソフトウェアを受信して、前記機能データより特定される前記データ通信機能への変更を行う。
【００４１】
このとき、前記データ通信管理サーバから前記ソフトウェアを受信する際、現在データ通信を要求している前記データ受信装置に対する前記データ通信機能における前記ソフトウェアのみを前記データ通信用管理サーバから受信するようにしても構わないし、前記データ送信装置に備えられていない前記ソフトウェア全てを前記データ通信用管理サーバから受信するようにしても構わない。又、前記データ送信装置に備えられていない前記ソフトウェア全てを受信するとき、受信する前記ソフトウェアは前記データ送信装置と通信可能な前記データ受信装置に対する前記データ通信機能におけるものとしても構わない。又、定期的に前記ソフトウェアを受信するようにしても構わないし、ユーザによって前記ソフトウェアを受信するように指示されたときに行うようにしても構わない。
【００４２】
更に、前記データ通信管理用サーバから前記第２機能特定テーブルの内容又は前記ソフトウェアを受信しているとき、電源を切断することを禁止するものとしても構わない。又、前記第１機能特定テーブルの内容又は前記ソフトウェアを更新しているとき、電源を切断することを禁止するものとしても構わない。このとき、強制的に電源を切断するための特別の操作が成されたときは、電源の切断動作を行うようにしても構わない。
【００４３】
又、前記データ受信装置が自機器を特定するとともに前記データ受信装置毎に異なる固有データを前記機能データとともに前記送受信部で受信するようにしても構わない。このとき、前記固有データにより前記データ受信装置が自機器と通信可能なデータ受信装置であるか否かを確認するようにしても構わない。
【００４４】
このとき、前記データ受信装置が自機器を特定するとともに前記データ受信装置毎に異なる固有データを前記送受信部で受信するとともに、前記個別対応情報記憶部に通信可能な前記データ受信装置の前記固有データを登録した第１装置テーブルを格納し、前記データ送受信部を通じて前記データ解析部に前記固有データが与えられると、前記個別対応情報記憶部内の前記第１装置テーブルを参照して、当該固有データより特定される前記データ受信装置が通信可能であるか否かを確認するようにしても構わない。
【００４５】
又、前記データ送信装置が通信可能な全ての前記データ受信装置の前記固有データを登録した第２装置テーブルを前記データ送信装置毎に管理するデータ通信管理用サーバと通信を行う通信インターフェースを備え、前記データ送受信部で受信した前記固有データが前記個別対応情報記憶部内の前記第１装置テーブルに登録されていないことを確認したとき、前記通信インターフェースを通じて前記データ通信管理用サーバに格納されている自機器に対する前記第２装置テーブルの内容を受信して、前記第１装置テーブルを更新するようにしても構わない。尚、前記第１及び第２装置テーブルは、実施の形態における機種特定テーブル及び許可装置テーブルに相当する。
【００４６】
このようにすることで、前記データ通信管理用サーバに前記データ送信装置が通信可能な前記データ受信装置に関する前記固有データが前記第２装置テーブルに登録される。よって、前記データ通信管理用サーバでは、前記データ送信装置毎に前記第２装置テーブルが生成されることで、前記データ送信装置それぞれに対して通信可能な前記データ受信装置が管理される。
【００４７】
このとき、前記データ送信装置が備える前記第１装置テーブルを前記第２装置テーブルの内容に更新する際、前記第１装置テーブルに備えられていない現在データ通信を要求している前記データ受信装置に対する前記固有データのみを更新するようにしても構わないし、前記第１装置テーブルに備えられていない全ての前記固有データを更新するようにしても構わない。又、定期的に前記第１装置テーブルの内容を更新するようにしても構わないし、ユーザによって前記第１装置テーブルの内容を更新するように指示されたときに行うようにしても構わない。
【００４８】
更に、前記データ通信管理用サーバから前記第２装置テーブルの内容を受信しているとき、電源を切断することを禁止するものとしても構わない。又、前記第１装置テーブルの内容を更新しているとき、電源を切断することを禁止するものとしても構わない。このとき、強制的に電源を切断するための特別の操作が成されたときは、電源の切断動作を行うようにしても構わない。
【００４９】
又、前記固有データと前記機能データとによって構成される１つの装置データが前記データ受信装置より送信されるとともに、当該装置データを前記送受信部で受信するようにしても構わない。
【００５０】
又、前記機能データが、前記データ通信機能を特定する複数種類の機能条件に対する機能条件データより構成され、前記第１機能特定テーブルにおいて、前記各機能条件データが表す符号毎に対応する前記機能条件が登録される。即ち、当該機能条件データが、パケット長や圧縮方式やビットレートや解像度や暗号化著作権方式などのそれぞれの機能条件を表すものとして構成される。
【００５１】
前記各機能条件データにおいて、桁毎に割り当てられた条件を示すものとしても構わない。即ち、圧縮方式を表す前記機能条件データにおいて、その圧縮方式がｎ種類あるとき、ｎ桁以上となるデータ構成とされる。
【００５２】
又、前記機能条件データが複数種類の条件を示す符号を備えるものとしても構わない。即ち、複数種類の条件が選択可能であることを示す符号が前記機能条件データに備えられる。又、桁毎に条件が割り当てられているとき、選択可能な条件に対応する桁が「１」となるように設定されるものとしても構わない。
【００５３】
複数種類の前記データ通信機能を表す前記固有データ及び前記機能データが扱われるデータ送信装置において、前記データ通信機能を複数種類備える前記データ受信装置に対する機能変更を行うとき、最適な動作条件とする前記データ通信機能を選択するようにしても構わない。即ち、受信したデータの高品質で且つ前記データ送信装置における消費電力量が最低となるような前記データ通信機能が選択される。又、前記データ品質は、データがＡＶデータである場合、その画質又は音質により示されるものとしても構わない。
【００５４】
又、複数種類の前記データ通信機能を表す前記固有データ及び前記機能データが扱われるデータ送信装置において、前記データ通信機能を複数種類備える前記データ受信装置に対する機能変更を行うとき、ユーザによって選択された動作条件に近い動作条件とする前記データ通信機能を選択するようにしても構わない。即ち、受信したデータの品質及び前記データ送信装置における消費電力量をユーザが設定することができ、このユーザの設定したデータ品質及び消費電力量に応じて前記データ通信機能が選択される。又、前記データ品質は、データがＡＶデータである場合、その画質又は音質により示されるものとしても構わない。
【００５５】
又、複数種類の前記データ通信機能を表す前記固有データ及び前記機能データが扱われるデータ送信装置において、ユーザにより操作される入力部を備え、前記データ通信機能を複数種類備える前記データ受信装置に対する機能変更を行うとき、前記入力部によって入力された前記データ通信機能を選択するようにしても構わないし、前記送受信部で受信した前記データ受信装置を通じて通知された前記データ通信機能を選択するようにしても構わない。
【００５６】
又、複数種類の前記データ通信機能を表す前記固有データ及び前記機能データが扱われるデータ送信装置において、自機器と前回データ通信を行った際に設定された前記データ通信機能を前記データ受信装置毎に登録した前回利用時設定テーブルが前記個別対応情報記憶部に格納されるとともに、前記データ通信機能を複数種類備える前記データ受信装置に対する機能変更を行うとき、当該データ受信装置に対する前記前回利用設定テーブルに登録された前記データ通信機能を選択するようにしても構わない。
【００５７】
又、複数種類の前記データ通信機能を表す前記固有データ及び前記機能データが扱われるデータ送信装置において、同一の前記データ受信装置に対する複数種類の前記データ通信機能の１つを基本データ通信機能とするとともに、前記データ通信機能を複数種類備える前記データ受信装置に対する機能変更を行うとき、前記基本データ通信機能を選択するようにしても構わない。
【００５８】
又、前記データ受信装置と通信を行うデータが著作権を備えるデータであり、変更する前記データ通信機能の一つが、前記データ生成部における著作権暗号化方式である。又、前記データ受信装置と通信を行うデータがＡＶデータであり、変更する前記データ通信機能の一つが、当該ＡＶデータにおける映像信号の圧縮方式及び解像度及びビットレート及びフレームレートそれぞれに対する前記データ生成部におけるデータフォーマットであるとともに、又、当該ＡＶデータにおける音声信号の圧縮方式及びビットレートそれぞれに対する前記データ生成部におけるデータフォーマットである。又、変更する前記データ通信機能の一つが、前記データにおける最適パケットのデータ長に対する前記データ生成部におけるデータフォーマットである。又、変更する前記データ通信機能の一つが、前記送受信部で前記データ受信装置から受信したデータを前記データ解析部においてデータ解析するデータフォーマットである。
【００５９】
上述の各データ送信装置において、前記データ通信機能を変更しているとき、電源を切断することを禁止するものとしても構わない。このとき、強制的に電源を切断するための特別の操作が成されたときは、電源の切断動作を行うようにしても構わない。
【００６０】
又、本発明のデータ受信装置は、受信したデータ送信装置からのデータを解析するデータ解析部と、前記データ送信装置に送信するデータを生成するデータ生成部と、前記データ送信装置からのデータを受信するとともに前記データ送信装置にデータを送信する送受信部と、を備えたデータ受信装置において、自機器を特定する固有データを格納した固有データ部を備え、該固有データ部より読み出した前記固有データを前記データ送受信部より前記データ送信装置に送信することによって、前記データ送信装置に自機器に対応するデータ通信機能を認識させて、当該データ通信機能に変更させてデータ通信可能な状態とすることを特徴とする。
【００６１】
このようなデータ受信装置は、上述したデータ送信装置のうち、前記固有データを確認することが可能なデータ送信装置に対して、前記固有データを送信することで、自機器の前記データ通信機能を認識させることができる。又、このようなデータ受信装置において、前記固有データを、前記データ受信装置毎に異なるものとしても構わないし、前記データ受信装置の機種毎に異なるものとしても構わない。
【００６２】
又、前記データ送信装置で設定される前記データ通信機能をｎ種類備え、前記データ通信機能がｎ種類設定可能であることを前記固有データにより前記データ送信装置が確認できるようにしても構わない。即ち、当該固有データを前記データ送信装置に送信したとき、前記データ送信装置が当該固有データよりデータ受信装置に対応する前記データ通信機能がｎ種類有ることが確認できる。
【００６３】
又、前記データ送信装置で設定される前記データ通信機能をｎ種類備え、設定可能な前記データ通信機能それぞれに対するｎ種類の前記固有データを前記固有データ部に記録するようにしても構わない。このとき、前記固有データを前記データ送信装置に送信することで、前記データ受信装置の要求する前記データ通信機能を前記データ送信装置に通知することができる。
【００６４】
又、本発明のデータ受信装置は、受信したデータ送信装置からのデータを解析するデータ解析部と、前記データ送信装置に送信するデータを生成するデータ生成部と、前記データ送信装置からのデータを受信するとともに前記データ送信装置にデータを送信する送受信部と、を備えたデータ受信装置において、自機器に対するデータ通信機能を特定する符号により構成される機能データを格納した固有データ部を備え、該固有データ部より読み出した前記機能データを前記データ送受信部より前記データ送信装置に送信することによって、前記データ送信装置に自機器に対応するデータ通信機能を認識させて、当該データ通信機能に変更させてデータ通信可能な状態とすることを特徴とする。
【００６５】
このようなデータ受信装置は、上述したデータ送信装置のうち、前記機能データを確認することが可能なデータ送信装置に対して、前記機能データを送信することで、自機器の前記データ通信機能を認識させることができる。又、このようなデータ受信装置において、自機器を特定するとともに各装置毎に異なる固有データを前記固有データ部に格納し、当該固有データを前記機能データとともに前記送受信部より送信するようにしても構わない。このとき、前記固有データと前記機能データとによって構成される１つの装置データを前記固有データ部に格納し、当該装置データを前記送受信部より送信するようにしても構わない。
【００６６】
又、前記機能データが、前記データ通信機能を特定する複数種類の機能条件に対する機能条件データより構成されるものとしても構わない。このとき、前記各機能条件データにおいて、桁毎に割り当てられた条件を示すものとしても構わない。更に、前記機能条件データが複数種類の条件を示す符号を備えるものとしても構わない。又、前記機能データが複数種類の前記データ通信機能を示す符号を備えるものとしても構わない。
【００６７】
前記機能データが前記複数種類のデータ通信機能を示す符号を備えるとき、前記データ受信装置は、ユーザにより操作される入力部を備え、前記データ通信機能を複数種類備えるとき、前記入力部によって入力された前記データ通信機能を前記送受信部より前記データ送信部に送信して通知する。
【００６８】
上述の各データ受信装置において、前記データ送信装置と通信を行うデータが、著作権を備えるデータであっても構わないし、ＡＶデータであっても構わない。
【００６９】
又、本発明のデータ通信システムは、上述したデータ送信装置のいずれか一つのデータ送信装置と、当該データ送信装置とデータ通信を行う前記データ受信装置とで構成され、前記データ送信装置が前記データ受信装置に応じて前記データ通信機能を変更する。又、本発明のデータ通信システムは、上述したデータ受信装置のいずれか一つのデータ受信装置と、当該データ受信装置とデータ通信を行う前記データ送信装置とで構成され、前記データ送信装置が前記データ受信装置に応じて前記データ通信機能を変更する。更に、本発明のデータ通信システムは、本発明のデータ通信システムは、上述したデータ送信装置のいずれか一つのデータ送信装置と、当該データ送信装置とデータ通信を行う上述したデータ受信装置のいずれか一つのデータ受信装置とで構成され、前記データ送信装置が前記データ受信装置に応じて前記データ通信機能を変更する。
【００７０】
又、本発明のデータ通信管理用サーバは、前記データ送信装置とデータの送受信を行う通信インターフェースと、前記第２機能特定テーブル又は前記第２装置テーブルなどのデータを格納する記録装置部とを備える。
【００７１】
【発明の実施の形態】
＜第１の実施形態＞
本発明の第１の実施形態について、図面を参照して以下に説明する。図１は、本実施形態におけるＡＶデータ無線通信システムの構成を示すブロック図である。図２は、本実施形態におけるＡＶデータ送信装置の内部構成を示すブロック図である。図３は、本実施形態におけるＡＶデータ受信装置の内部構成を示すブロック図である。尚、この図２及び図３において、図２８及び図２９と同一の部分については、同一の符号を付してその詳細な説明は省略する。
【００７２】
図１に示すＡＶデータ無線通信システムは、ＡＶデータを送信するＡＶデータ送信装置１と、ＡＶデータ送信装置１から送信されるＡＶデータを受信するＡＶデータ受信装置２と、ＡＶデータ送信装置１及びＡＶデータ受信装置２に関するデータベースを備えるとともにＡＶデータ送信装置１とネットワーク４を通じて通信を行うＡＶデータ通信管理用サーバ３と、電話回線やＤＳＬ回線や無線回線や光ファイバ回線などにより通信が行われるネットワーク４とを備える。
【００７３】
このようなＡＶデータ無線通信システムにおいて、ＡＶデータ送信装置１は、図２に示すように、図２８のＡＶデータ送信装置１００の構成に、無線伝送可能なＡＶデータ受信装置２に関するデータベースを格納した個別対応情報記憶部１０６ａと、ネットワーク４と接続するためのモデムやネットワークカードなどのネットワークインターフェース１２４と、ネットワークインターフェース１２４におけるネットワーク接続を制御するネットワーク制御部１２５とを備える。又、ＡＶデータ受信装置２は、図３に示すように、図２９のＡＶデータ受信装置２００の構成に、ＡＶデータ送信装置１に対して自機器の機種を表す固有データを格納した固有データ用メモリ２０６を備える。
【００７４】
更に、ＡＶデータ通信管理用サーバ３は、図４に示すように、装置全体の制御を行うＣＰＵ２５１と、ＣＰＵ２５１及びメインメモリ２５４と他のブロックとのデータのやりとりを行うシステム制御部２５２と、装置の最も基本的な動作に関する設定及びプログラムが格納されているとともに電源ＯＮ時にこの設定及びプログラムに従って動作するＢＩＯＳ部２５３と、ＣＰＵ２５１によって管理されるとともにプログラムやデータ等が記憶されるメインメモリ２５４と、ネットワーク４と接続するためのモデムやネットワークカードなどのネットワークインターフェース２５５と、ネットワークインターフェース２５５におけるネットワーク接続を制御するネットワーク制御部２５６と、ＡＶデータ受信装置２の機能に関するデータテーブルや各機能に応じたソフトウェアなどを記録した記録装置部２５７とを備える。
【００７５】
図１のＡＶデータ無線通信システムにおける各装置がこのように構成されるとき、ＡＶデータ送信装置１は、個別対応情報記憶部１０６ａ内に、複数種類のＡＶデータ受信装置２の機能を特定するためのデータテーブル（以下、「機能特定テーブル」とする）を格納している。この機能特定テーブルは、図５に示すように、ＡＶデータ受信装置２それぞれの機種毎の機種ＩＤに対応するように、各機種の機能が機能データとして格納されている。例えば、各機種ＩＤに対して、その機種ＩＤに対応するＡＶデータ受信装置２の映像信号の圧縮形式及びビットレート及び著作権保護のための暗号化著作権方式、再生表示時の解像度及びフレームレート、音声信号の圧縮形式及びビットレート及び著作権保護のための暗号化著作権方式、最適とされるパケット長、使用されるリモコン方式などが、機能データとして格納される。
【００７６】
又、ＡＶデータ送信装置１内の映像エンコード部１１１は、図６に示すように、複数系統から入力されるデジタル信号である映像信号から一つを選択するマルチプレクス部３０１と、マルチプレクス部３０１に入力される映像信号に付されている暗号化著作権信号を解除する暗号化著作権解除部３０２と、暗号化著作権解除部３０３からの映像信号をＡＶデータ受信装置２に対応した映像フォーマットに変換する映像トランスコード部３０５と、映像トランスコード部３０５からの映像信号に暗号化著作権信号を付加する暗号化著作権付加部３０８と、を備える。
【００７７】
この映像エンコード部１１１は、暗号化著作権解除部３０２及び映像トランスコード部３０５及び暗号化著作権付加部３０８それぞれの動作制御するためのファームウェアを備えるＲＯＭ３０３，３０６，３０９と、暗号化著作権解除部３０３及び映像トランスコード部３０５及び暗号化著作権付加部３０８それぞれの動作時に利用されるワークメモリやキャッシュとなるＲＡＭ３０４，３０７，３１０と、を備える。
【００７８】
又、音声エンコード部１１３も、デジタル信号となる音声信号に対して、映像エンコード部１１１と同様の構成となる。よって、音声エンコード部１１３は、図７に示すように、映像エンコード部１１１におけるマルチプレクス部３０１、暗号化著作権解除部３０２、映像トランスコード部３０５、暗号化著作権付加部３０８、ＲＯＭ３０３，３０６，３０９、ＲＡＭ３０４，３０７，３１０に相当するマルチプレクス部３２１、暗号化著作権解除部３２２、音声トランスコード部３２５、暗号化著作権付加部３２８、ＲＯＭ３２３，３２６，３２９、ＲＡＭ３２４，３２７，３３０を備える。
【００７９】
そして、暗号化著作権解除部３０２，３２２及び映像トランスコード部３０５及び音声トランスコード３２５及び暗号化著作権付加部３０８，３２８は、バス回線１２３を介してシステム制御部１０２とコマンドやデータのやり取りを行い、ＤＳＰ（Ｄｉｇｉｔａｌ  Ｓｉｇｎａｌ  Ｐｒｏｃｅｓｓｏｒ）などにおけるファームウェアによる機能更新が可能な構造、又は、ハードウェア的に選択可能な複数の機能を備えた構造になっている。
【００８０】
又、暗号化著作権解除部３０２，３２２及び暗号化著作権付加部３０８，３２８は、映像信号及び音声信号がＡＶデータ受信装置２における暗号化著作権方式に対応している場合は、暗号化解除処理及び暗号化処理を施すことなく後段の回路に映像信号及び音声信号を送出する。又、映像トランスコード部３０５及び音声トランスコード３２５は、映像信号及び音声信号がＡＶデータ受信装置２で処理可能なフォーマットで符号化されている場合は変換処理を行うことなく後段の回路に映像信号及び音声信号を送出する。更に、ＲＯＭ３０３，３０６，３０９，３２３，３２６，３２９は、内部に備えたファームウェアによる機能更新が可能なような構成とされ、例えば、不揮発性のメモリを含んだ構成とされる。
【００８１】
更に、記録装置部１０６は、ＴＶチューナビデオ部１３０や記録デバイス再生部１３１や映像ＡＤ変換部１１０や音声ＡＤ変換部１１２からのデジタル信号となる映像信号及び音声信号を記録することができるものとしても構わない。このとき、映像エンコード部１１１及び音声エンコード部１１３のマルチプレクス部３０１，３２１には、記録装置部１０６からの映像信号及び音声信号が入力される。
【００８２】
このようなＡＶデータ送信装置１は、入力部１０９により電源ＯＮとされたとき、入力制御部１０８を介してシステム制御部１０２に電源ＯＮするように指示されたことが通知され、ＣＰＵ１０１がＢＩＯＳ部１０３内のプログラムをシステム制御部１０２を介して読み込む。そして、システム制御部１０２を通じて装置内の各ブロックの初期設定を行う。
【００８３】
又、電源ＯＮとするように指示する制御データを含む高周波信号をアンテナ１２２で受信したとき、ＲＦ部１２１及びＢＢ部１２０及び暗号化解除部１１７を通じてデータ受信部１１８にデータパケットが与えられ、このデータパケットから制御データが確認される。そして、この制御データがバス回線１２３を通じてシステム制御部１０２に与えられることで、電源ＯＮするように指示されたことが通知される。よって、入力部１０９が操作されたときと同様の動作をＣＰＵ１０１が行うことで、装置内の各ブロックが初期設定される。このように動作するとき、電源切断時において、ＡＶデータ送信装置１は、システム制御部１０２及びデータ受信部１１８及び暗号化解除部１１７及びＢＢ部１２０及びＲＦ部１２１などの通信に最低限必要なブロックには電源供給を行う。
【００８４】
このように電源ＯＮとされた後に装置内の各ブロックの初期設定がなされると、ＢＩＯＳ部１０３又は記録装置部１０６に格納された各種プログラムがシステム制御部１０２を介してＣＰＵ１０１によって読み出されて、各種アプリケーションが起動する。この起動したアプリケーションに対するプログラムに応じて、ＣＰＵ１０１がシステム制御部１０２を介して各ブロックを動作させる。
【００８５】
このとき、ＡＶデータ送信装置１の動作状態を表すデータが、ＣＰＵ１０１よりシステム制御部１０２を介し表示制御部１０５に与えられ、表示制御部１０５は、このデータに基づいて表示部１０７に動作状態を表示する。又、入力部１０９が操作されることにより、ＡＶデータ送信装置１の動作を指示する制御データが入力制御部１０８及びシステム制御部１０２を介してＣＰＵ１０１に与えられる。そして、ＣＰＵ１０１がこの制御データに基づいてＢＩＯＳ部１０３又は記録装置部１０６に格納された各種プログラムを駆動することで、ＡＶデータ送信装置１が指示された動作を行う。
【００８６】
更に、制御データによる高周波信号をアンテナ１２２で受信すると、ＲＦ部１２１及びＢＢ部１２０を介してデータパケットが暗号化解除部１１７に送出される。そして、暗号化解除部１１７においてデータパケットが暗号化解除された後にデータ受信部１１８で誤り訂正符号による誤り訂正処理が行われて、制御データが得られる。このとき、メインメモリ１０４内の暗号化コードによって暗号化解除される。このデータ受信部１１８で得られた制御データが、バス回線１２３及びシステム制御部１０２を介してＣＰＵ１０１に与えられる。そして、ＣＰＵ１０１がこの制御データに基づいてＢＩＯＳ部１０３又は記録装置部１０６に格納された各種プログラムを駆動することで、ＡＶデータ送信装置１が指示された動作を行う。
【００８７】
又、ＡＶデータ受信装置２においても、ＡＶデータ送信装置１と同様、入力部２０９により電源ＯＮとされたとき、入力制御部２０８よりシステム制御部２０２に通知され、ＣＰＵ２０１がＢＩＯＳ部２０３内のプログラムにより初期設定を行う。このとき、ＡＶデータ受信装置２の動作状態を表すデータが、ＣＰＵ２０１より表示制御部２０５に与えられると、表示部２０７に動作状態を表示する。又、入力部２０９が操作されることにより、ＡＶデータ受信装置２の動作を指示する制御データがＣＰＵ２０１に与えられ、ＣＰＵ２０１がこの制御データに基づいてＢＩＯＳ部２０３に格納された各種プログラムを駆動して、指示された動作を行う。
【００８８】
このようなＡＶデータ送信装置１及びＡＶデータ受信装置２は、従来のＡＶデータ送信装置１００及びＡＶデータ受信装置２００と同様に動作を行うことによって、映像信号及び音声信号がＡＶデータ送信装置１より送信されてＡＶデータ受信装置２で受信されるとともに、制御データ及びＡＣＫ信号及び再送要求信号がＡＶデータ受信装置２から送信されてＡＶデータ送信装置１で受信される。このとき、ＡＶデータ送信装置１の映像エンコード部１１１及び音声エンコード部１１３において、以下のような動作を行う。尚、以下では、映像エンコード部１１１の動作を代表して説明するものとし、音声エンコード部１１３において同一の動作を行う部分についてかっこ内に示す。
【００８９】
ＴＶチューナビデオ部１３０又は記録デバイス再生部１３１からの映像（音声）信号が直接、もしくは、映像（音声）ＡＤ変換部１１０（１１２）でデジタル変換されて、又は、記録装置部１０６内の映像（音声）信号がシステム制御部１０２及びバス回線１２３を介して、マルチプレクス部３０１（３２１）に与えられる。このように複数の系統からの入力が可能であるとき、システム制御部１０２及びバス回線１２３を通じてＣＰＵ１０１によって指示される系統の映像（音声）信号がマルチプレクス部３０１（３２１）において選択される。
【００９０】
そして、マルチプレクス部３０１（３２１）で選択された映像（音声）信号は、暗号化著作権解除部３０２（３２２）に与えられる。この暗号化著作権解除部３０２（３２２）では、ＲＯＭ３０３（３２３）内のファームウェアに基づいて動作を行うとともにＲＡＭ３０４（３２４）を利用して、映像（音声）信号に施されている暗号化著作権方式を確認するとともに、付加されている暗号化著作権信号を解除する。
【００９１】
そして、暗号化著作権信号が解除された映像（音声）信号は、映像（音声）トランスコード部３０５（３２５）に与えられる。この映像（音声）トランスコード３０５（３２５）では、ＲＯＭ３０６（３２６）内のファームウェアに基づいて動作を行うとともにＲＡＭ３０７（３２７）を利用して、ＡＶデータ受信装置２の映像（音声）デコード部２１９（２２０）で正常にデコードされるとともに表示部２０７（音声出力部２２１）で正常に再生されるためのフォーマットに応じた映像（音声）信号に変換する。即ち、映像信号については、その圧縮形式及びビットレートや再生表示時の解像度及びフレームレートなどに応じたフォーマットに変換され、又、音声信号については、その圧縮形式及びビットレートなどに応じたフォーマットに変換される。
【００９２】
そして、ＡＶデータ受信装置２のフォーマットに変換された映像（音声）信号は、暗号化著作権付加部３０８（３２８）に与えられる。この暗号化著作権付加部３０８（３２８）では、ＲＯＭ３０９（３２９）内のファームウェアに基づいて動作を行うとともにＲＡＭ３１０（３３０）を利用して、ＡＶデータ受信装置２の映像（音声）デコード部２１９（２２０）で解除可能な暗号化著作権信号を映像（音声）信号に付加する。即ち、ＡＶデータ受信装置２における暗号化著作権方式に対応した映像（音声）信号に変換する。
【００９３】
このように動作するＡＶデータ送信装置１及びＡＶデータ受信装置２を備えたＡＶデータ無線通信システムにおいて、ＡＶデータ送信装置１は、ＡＶデータ受信装置２の機能に合わせて動作する必要がある。そのため、まず、ＡＶデータ送信装置１では、ＡＶデータ受信装置２の機能を認識するとともに、その機能に応じたプログラムやフォーマットで動作するように各ブロックの初期化設定を行う。この初期化設定動作について、図８のフローチャートを参照して、以下に説明する。
【００９４】
ＡＶデータ受信装置２は、ＡＶデータ送信装置１に自機器の機能を確認させるために、固有データ用メモリ２０６内に格納した自機器の機種を示す機種ＩＤをシステム制御部２０２によって読み出すと、バス回線２２２を介してデータ生成部２１６に送出する。データ生成部２１６では、固有データ用メモリ２０６内の機種ＩＤをデータパケット化した後、誤り訂正符号部２１７で誤り訂正符号を付加する。
【００９５】
このとき、暗号化部２１８は動作しないようにシステム制御部２０２及びバス回線２２２を介してＣＰＵより指示されるため、暗号化部２１８で暗号化されることなく、誤り訂正符号が付加されたデータパケットがＢＢ部２１２でベースバンド信号に変換された後、ＲＦ部２１１で高周波信号に変換されて、アンテナ２１０より送信される。
【００９６】
このようにＡＶデータ受信装置２の暗号化コードで暗号化されていない機種ＩＤを有する高周波信号が送信されると、ＡＶデータ送信装置１において、アンテナ１２２で受信される（ＳＴＥＰ１）。この高周波信号が受信されると、ＲＦ部１２１でベースバンド信号に変換された後、ＢＢ部１２０でデータパケットに変換されて暗号化解除部１１７に送出される。暗号化解除部１１７では、データパケットが暗号化されていないことを確認し、暗号化解除動作を行うことなく、データ受信部１１８に送出する。そして、データ受信部１１８によってデータパケットが誤り訂正符号部１１５における誤り訂正符号を用いて誤り訂正された後にデータ解析されることで、ＡＶデータ受信装置２の機種ＩＤが確認され、バス回線１２３及びシステム制御部１０２を介してＣＰＵ１０１に通知される。
【００９７】
このように、ＡＶデータ受信装置２の機種ＩＤがＣＰＵ１０１に通知されると、機種ＩＤに応じた機能データのダウンロード回数Ｎｘを１として初期化するとともに（ＳＴＥＰ２）、機能データに応じた機能を行うためのソフトウェアのダウンロード回数Ｎｙを１として初期化する（ＳＴＥＰ３）。このダウンロード回数Ｎｘ，Ｎｙは、メインメモリ１０４内に格納される。
【００９８】
そして、ＣＰＵ１０１は、システム制御部１０２を介して個別情報記憶部１０６ａから図５のような機能特定テーブルを読み出して、通知された機種ＩＤと比較を行う（ＳＴＥＰ４）。この比較動作において、ＣＰＵ１０１は、この機能特定テーブル内の全機種ＩＤとの比較を行い、一致する機種ＩＤが機能特定テーブル内に存在するか否かを確認する（ＳＴＥＰ５）。このとき、ＣＰＵ１０１は、システム制御部１０２を介してＢＩＯＳ部１０３及びメインメモリ１０４を使用して、比較動作を行う。
【００９９】
そして、一致する機種ＩＤが機能特定テーブル内に存在することが確認されると（Ｙｅｓ）、この機種ＩＤに対応するＡＶデータ受信装置２の機能を機能データから確認し、このＡＶデータ受信装置２の機能に対応した機能変更を行うことが可能であるか否かを確認する（ＳＴＥＰ６）。このとき、機能変更を行うためのソフトウェアを記録装置部１０６内に格納しているため、機能変更可能であることが確認されると（Ｙｅｓ）、通知された機種ＩＤより確認されるＡＶデータ受信装置２の機能に対応した機能変更を行う（ＳＴＥＰ７）。尚、この機能変更動作については、後述する。
【０１００】
又、このようにしてＡＶデータ送信装置１の送信機能を、ＡＶデータ受信装置２の受信機能に対応するように変更しているとき、ユーザが直接ＡＶデータ送信装置１の入力部１０９を操作して、又は、リモコンなどを使用してＡＶデータ送信装置１とＡＶデータ受信装置２との間を無線通信以外の通信媒体を用いるなどして、ＡＶデータ送信装置１とＡＶデータ受信装置２との間の無線通信で使用するメインメモリ１０４，２０４内の暗号化コードを一致させる。
【０１０１】
よって、ＳＴＥＰ７において機能変更動作を終了すると、システム制御部１０２において機能変更動作が完了してＡＶデータ送信可能であることを示す機能変更完了信号を生成し、ＡＶデータ受信装置２に送信する（ＳＴＥＰ８）。このとき、この機能変更完了信号は、データ生成部１１４でデータパケットに変換され、誤り訂正符号部１１５で誤り訂正符号が付加された後、暗号化部１１６でメインメモリ１０４内の暗号化コードにより暗号化する。そして、この暗号化された機能変更完了信号によるデータパケットは、ＢＢ部１２０でベースバンド信号認変換された後、ＲＦ部１２１で高周波信号とされて、アンテナ１２２より送信される。
【０１０２】
この機能変更完了信号による高周波信号をアンテナ２１０でＡＶデータ受信装置２が受信すると、ＲＦ部２１１及びＢＢ部２１２を介してデータパケットに変換されて、暗号化解除部２１３に送出される。このデータパケットが、暗号化解除部２１３でメインメモリ２０４内の暗号化コードにより暗号化解除されて、データ受信部２１４で誤り訂正符号部２１７内の誤り訂正符号により誤り訂正される。そして、データ受信部２１４において、得られたデータパケットが機能変更完了信号であることが確認されると、バス回線２２２を介してシステム制御部２０２に与えられて、ＡＶデータ送信装置１における機能変更動作が完了し、ＡＶデータ通信可能であることが確認される。よって、表示制御部２０５が動作制御されて表示部２０７にＡＶデータ通信可能であることを表示する。
【０１０３】
このようにＡＶデータ通信可能であることが確認されると、ユーザによりリモコンなどの入力部２０９が操作されてＡＶデータの送信要求を行うように指示されると、入力制御部２０８を通じてシステム制御部２０２にＡＶデータの送信要求となる制御データが与えられる。そして、この制御データがバス回線２２２を通じてデータ生成部２１６に与えられると、誤り訂正符号部２１７で誤り訂正符号が付加された後、暗号化部２１８でメインメモリ２０４内の暗号化コードにより暗号化され、ＢＢ部２１２及びＲＦ部２１１及びアンテナ２１０を介して送信される。
【０１０４】
その後、ＡＶデータ受信装置２からのＡＶデータの送信要求を受信したか否かが確認される（ＳＴＥＰ９）。このとき、ＡＶデータの送信要求をアンテナ１２２で受信すると（Ｙｅｓ）、ＲＦ部１２１及びＢＢ部１２０及び暗号化解除部１１７を通じてデータ受信部１１８に与えられる。そして、ＡＶデータの送信要求となるデータがバス回線１２３を介してシステム制御部１０２に送出されて確認され、ＣＰＵ部１０１に通知されると、ＡＶデータの送信動作を行うために、ＣＰＵ１０１がシステム制御部１０２を介して各ブロックの動作制御を行う（ＳＴＥＰ１０）。又、ＡＶデータの送信要求が確認されるまで、ＳＴＥＰ９からＳＴＥＰ１０へ動作状態は移行しない。
【０１０５】
又、ＳＴＥＰ５において、機能特定テーブル内に一致する機種ＩＤが確認されなかったとき（Ｎｏ）、ＡＶデータ通信管理用サーバ３との通信が可能であるか否かを確認する（ＳＴＥＰ１１）。このとき、ＡＶデータ通信管理用サーバ３との通信が可能であることがネットワーク制御部１２５によって確認されると（Ｙｅｓ）、ＳＴＥＰ１で受信した機種ＩＤより特定される機能データをＡＶデータ通信管理用サーバ３からダウンロードした回数Ｎｘが所定値Ｎｘ１を超えたか否かが確認される（ＳＴＥＰ１２）。
【０１０６】
ＳＴＥＰ１２で、ダウンロードした回数Ｎｘが所定値Ｎｘ１に至っていないとき（Ｎｏ）、ＡＶデータ通信管理用サーバ３と通信接続を行うようにネットワーク制御部１２５によってネットワークインターフェース１２４が制御される（ＳＴＥＰ１３）。このようにして、ネットワークインターフェース１２４がネットワーク４を通じてＡＶデータ通信管理用サーバ３と通信接続されると、ＡＶデータ通信管理用サーバ３に対して、ＳＴＥＰ１で確認された機種ＩＤによって特定される機能データのダウンロードを要求する（ＳＴＥＰ１４）。
【０１０７】
このとき、ＡＶデータ送信装置１では、ＳＴＥＰ１で確認された機種ＩＤをシステム制御部１０２からバス回線１２３を通じてネットワーク制御部１２５に送出する。そして、この機種ＩＤによって特定される機能データを要求するための機能データ要求信号を生成し、ネットワークインターフェース１２４より送信する。この機能データ要求信号には、送信元であるＡＶデータ送信装置１に関する機種データも含まれる。そして、ＡＶデータ通信管理用サーバ３がネットワーク４を通じて機能データ要求信号をネットワークインターフェース２５５で受信すると、ネットワーク制御部２５６によってシステム制御部２５２に与えられる。
【０１０８】
よって、システム制御部２５２によって、機能データ要求信号を送信したＡＶデータ送信装置１を確認するとともに、確認したＡＶデータ送信装置１が通信可能なＡＶデータ受信装置２の機種ＩＤとその機能データとによる図５のような機能特定テーブルを記録装置部２５７より読み出す。そして、この機能特定テーブルにおいて一致する機種ＩＤに対する機能データを確認する。
【０１０９】
このとき、機能特定テーブルで一致する機種ＩＤが確認されると、その機能データが読み出されて、システム制御部２５２よりネットワーク制御部２５６に与えられる。又、機能特定テーブルで一致する機種ＩＤが確認されない場合、システム制御部２５２でエラー信号が生成されて、ネットワーク制御部２５６に与えられる。その後、ネットワーク制御部２５６がネットワークインターフェース２５５を制御することで、確認されたＡＶデータ送信装置１に対して機能データ又はエラー信号を送信する。
【０１１０】
そして、ＡＶデータ送信装置１は、ＡＶデータ通信管理用サーバ３よりエラー信号を受信したか否かが確認される（ＳＴＥＰ１５）。このとき、ＡＶデータ送信装置１は、機能データを受信したときは（Ｎｏ）、機能データのダウンロードを開始する（ＳＴＥＰ１６）。このとき、ダウンロードされた機能データがダウンロードされた順番に自機器の個別対応情報記憶部１０６ａに格納された機能特定テーブルに格納するとともに、この機能データを完全に機能特定テーブルに格納した後に、ＳＴＥＰ１で得られた機種ＩＤを機能データとともに格納する。このとき、機能データが正常に受信されたか否かは、機能データにＣＲＣ（Ｃｙｃｌｉｃ  Ｒｅｄｕｎｄａｎｃｙ  Ｃｈｅｃｋ）符号などの誤り検出符号を付加することによって確認することができる。このようにして、ＡＶデータ送信装置１は、ＡＶデータ受信装置２に対する機能データを機能特定テーブルに備えることができる。その後、ダウンロード回数Ｎｘを１つ計数する（ＳＴＥＰ１７）。
【０１１１】
このように、機能データのダウンロードが行われると、ＳＴＥＰ５に移行して、再び、機能特定テーブルにＳＴＥＰ１で得られた機種ＩＤに対する機能データが存在するか否かが確認される。このとき、ＳＴＥＰ１６でのダウンロードを行った際、機能データを完全に受信した場合は機能特定テーブル内に存在するため、ＳＴＥＰ６以降の動作を行う。それに対して、機能データを完全に受信できなかった場合は機能特定テーブル内に存在しないため、ＳＴＥＰ１１以降の動作を再度行う。
【０１１２】
又、ＳＴＥＰ６において、確認された機能データに対する機能のソフトウェアを記録装置部１０６内に保持していない場合（Ｎｏ）、ＳＴＥＰ１１と同様、ネットワーク制御部１２５によってＡＶデータ通信管理用サーバ３との通信が可能であるか否かを確認する（ＳＴＥＰ１８）。そして、ＡＶデータ通信管理用サーバ３との通信が可能である場合（Ｙｅｓ）、ＳＴＥＰ１２と同様、機能実現のためのソフトウェアのダウンロード回数Ｎｙが所定値Ｎｙ１を超えたか否かが確認される（ＳＴＥＰ１９）。
【０１１３】
このとき、ダウンロード回数Ｎｙが所定値Ｎｙ１に至っていない場合（Ｎｏ）、ＳＴＥＰ１３と同様の動作を行ってＡＶデータ通信管理用サーバ３と通信接続される（ＳＴＥＰ２０）。そして、ＡＶデータ通信管理用サーバ３に対して、ＳＴＥＰ１で確認された機種ＩＤによって特定される機能データに対する機能を実現するためのソフトウェアのダウンロードを要求する（ＳＴＥＰ２１）。即ち、機種ＩＤより確認されるＡＶデータ受信装置２の機能に応じた送信機能を実現するためのソフトウェアのダウンロードを要求する。
【０１１４】
このとき、ソフトウェアのダウンロードを要求するためのソフトウェア要求信号が生成されて送信される。このとき、このソフトウェア要求信号には、機能を特定するための機種ＩＤ又は機能データとＡＶデータ送信装置１を特定する機種データとが含まれる。ＡＶデータ通信管理用サーバ３は、このソフトウェア要求信号を受信すると、ソフトウェア要求信号から確認される機能実現のためのソフトウェアを記録装置部２５７より読み出して、ＡＶデータ送信装置１に送信する。
【０１１５】
そして、ＡＶデータ送信装置１は、ＡＶデータ通信管理用サーバ３より送信されるソフトウェアを受信してダウンロードを開始する（ＳＴＥＰ２２）。このとき、ダウンロードされたソフトウェアを記録装置部１０６に格納する。又、このソフトウェアが正常に受信されたか否かは、機能データにＣＲＣ（Ｃｙｃｌｉｃ  Ｒｅｄｕｎｄａｎｃｙ  Ｃｈｅｃｋ）符号などの誤り検出符号を付加することによって確認することができる。その後、ダウンロード回数Ｎｙを１つ計数する（ＳＴＥＰ２３）。このように、機能実現のためのソフトウェアのダウンロードが行われると、ＳＴＥＰ６に移行して、再び、ＳＴＥＰ１で得られた機種ＩＤで特定する機能データに対するソフトウェアが存在するか否かが確認される。このとき、ＳＴＥＰ２２でのダウンロードを行った際、ソフトウェアを完全に受信した場合は、ＳＴＥＰ７以降の動作を行う。それに対して、ソフトウェアを完全に受信できなかった場合は、ＳＴＥＰ１８以降の動作を再度行う。
【０１１６】
又、ＳＴＥＰ１１又はＳＴＥＰ１８で通信接続不可能であった場合（Ｎｏ）、又は、ＳＴＥＰ１２でダウンロード回数ＮｘがＮｘ１となったとき（Ｙｅｓ）、又は、ＳＴＥＰ１５でエラー信号を受信したとき（Ｙｅｓ）、又は、ＳＴＥＰ１９でダウンロード回数ＮｙがＮｙ１となったとき（Ｙｅｓ）、ＡＶデータ送信装置１において、ＢＩＯＳ部１０３やメインメモリ１０４や記録装置部１０６などに記録されたプログラムを確認して、エラー表示機能を備えているか否かを確認する（ＳＴＥＰ２４）。
【０１１７】
このとき、エラー表示機能を備えていることを確認した場合（Ｙｅｓ）、表示部１０７にエラー表示を行う（ＳＴＥＰ２５）。このとき、ＣＰＵ１０１は記録装置部１０６よりエラー表示用の画像データを読み出して表示制御部１０５に送出する。そして、表示制御部１０５によって、与えられた画像データに基づいて表示部１０７にエラー表示を行わせる。
【０１１８】
更に、ＳＴＥＰ２４でエラー表示機能を備えていなかったとき（Ｎｏ）、又は、ＳＴＥＰ２５でエラー表示動作を行ったとき、それぞれ、ＡＶデータ受信装置２においてエラー表示させるためのエラー通知信号をシステム制御部１０２で生成して送信して（ＳＴＥＰ２６）、動作を終了する。このとき、エラー通知信号は、暗号化部１１６において暗号化されないものとする。ＡＶデータ受信装置２では、このエラー通知信号を受信すると、暗号化解除部２１３で暗号化解除されることなくデータ受信部２１４に与えられる。その後、機能変更完了信号を受信したときと同様にして、表示部２０７にエラー表示を行う。
【０１１９】
このように、図８のフローチャートに従った初期化設定動作が行われるとき、ＳＴＥＰ７における機能変更動作が、図９のフローチャートに従って行われる。個別対応情報記憶部１０６ａ内の機能特定テーブル及び受信した機種ＩＤより確認される機能データを確認する（ＳＴＥＰ１００）。受信した機種ＩＤに対応するＡＶデータ受信装置２の映像信号の圧縮形式及びビットレート及び著作権保護のための暗号化著作権方式、再生表示時の解像度及びフレームレート、音声信号の圧縮形式及びビットレート及び著作権保護のための暗号化著作権方式、最適とされるパケット長、使用されるリモコン方式が、確認される。
【０１２０】
そして、受信した機種ＩＤに対応するＡＶデータ受信装置２の映像信号の圧縮形式及びビットレート、再生表示時の解像度及びフレームレートに対応した映像信号に変換するためのソフトウェアを記録装置部１０６よりシステム制御部１０２が読み出して、バス回線１２３を介して映像エンコード部１１１に送出してＲＯＭ３０６に格納する（ＳＴＥＰ１０１）。即ち、ＡＶデータ受信装置２において処理可能な映像信号に映像トランスコード部３０５で変換するためのソフトウェアがＲＯＭ３０６内に格納される。
【０１２１】
次に、受信した機種ＩＤに対応するＡＶデータ受信装置２の映像信号に付加する暗号化著作権信号を記録装置部１０６よりシステム制御部１０２が読み出して、バス回線１２３を介して映像エンコード部１１１に送出してＲＯＭ３０９に格納する（ＳＴＥＰ１０２）。即ち、暗号化著作権付加部３０８でＡＶデータ受信装置２において処理可能な暗号化著作権方式の映像信号とするためのソフトウェアがＲＯＭ３０９内に格納される。
【０１２２】
又、受信した機種ＩＤに対応するＡＶデータ受信装置２の音声信号の圧縮形式及びビットレートに対応した音声信号に変換するためのソフトウェアを記録装置部１０６よりシステム制御部１０２が読み出して、バス回線１２３を介して音声エンコード部１１３に送出してＲＯＭ３２６に格納する（ＳＴＥＰ１０３）。即ち、ＡＶデータ受信装置２において処理可能な音声信号に音声トランスコード部３２５で変換するためのソフトウェアがＲＯＭ３２６内に格納される。
【０１２３】
更に、受信した機種ＩＤに対応するＡＶデータ受信装置２の音声信号に付加する暗号化著作権信号を記録装置部１０６よりシステム制御部１０２が読み出して、バス回線１２３を介して音声エンコード部１１３に送出してＲＯＭ３２９に格納する（ＳＴＥＰ１０４）。即ち、暗号化著作権付加部３２８でＡＶデータ受信装置２において処理可能な暗号化著作権方式の音声信号とするためのソフトウェアがＲＯＭ３２９内に格納される。
【０１２４】
そして、ＳＴＥＰ１００で読み出した最適パケットのデータパケットを生成するためのソフトウェアをデータ生成部１１４に格納し、ＡＶデータ受信装置２で処理可能な最適パケット長のデータパケットが生成可能なように設定する（ＳＴＥＰ１０５）。その後、ＡＶデータ受信装置２からのリモコン方式に応じた制御データを確認するためのソフトウェアをデータ受信部１１８に格納する（ＳＴＥＰ１０６）。このようにすることで、データ受信部１１８において、ＡＶデータ受信装置２からＡＶデータ送信装置１の動作を制御するための制御データを確認することができる。
【０１２５】
このように、図８及び図９のフローチャートに従って動作することで、ＡＶデータ受信装置２の機能に応じた機能に変更するための動作がＡＶデータ送信装置１で行われる。このような動作が行われている間にＡＶデータ送信装置１が電源ＯＦＦとなるように操作されたときの動作について、図１０のフローチャートを参照して以下に説明する。
【０１２６】
ＡＶデータ送信装置１では、システム制御部１０２において、入力部１０９への操作、又は、ＡＶデータ受信装置２からの制御データの受信、又は、システム制御部１０２内のタイマ設定などにより、電源ＯＦＦが指示されているか否かが確認される（ＳＴＥＰ２００）。このとき、入力部１０９への操作がなされると入力制御部１０８を通じてシステム制御部１０２に通知される。又、ＡＶデータ受信装置２の入力部２０９への操作がなされると、他の制御データと同様にしてＡＶデータ送信装置１に送信され、この制御データがアンテナ１２２で受信されるとデータ受信部１１８で解析された後、バス回線１２３を介してシステム制御部１０２に通知される。更に、予め、入力部１０９からの入力などにより電源ＯＦＦするためのタイマ設定がなされているとき、システム制御部１０２内のタイマによって電源ＯＦＦする時刻となったか否かを確認する。
【０１２７】
このとき、電源ＯＦＦとなるように指示されたことが確認されると（Ｙｅｓ）、入力部１０９が操作されて指示されているか否かが確認される（ＳＴＥＰ２０１）。又、ＳＴＥＰ２００で電源ＯＦＦの指示が確認されなかったとき（Ｎｏ）、再度、電源ＯＦＦが指示されたか否かが確認される。尚、このＳＴＥＰ２００の動作は、定期時間毎に行われる。そして、ＳＴＥＰ２０１で入力部１０９による指示であることが確認されると（Ｙｅｓ）、強制的に電源ＯＦＦするために入力部１０９での所定の操作が行われたか否かが確認される（ＳＴＥＰ２０２）。この所定の操作とは、例えば、電源ＯＦＦを指示するためのキーが所定時間以上操作し続けられることや、電源ＯＦＦを指示するキーとともに所定のキーが操作されることなどである。
【０１２８】
このような所定の操作がなされて強制的に電源ＯＦＦすることを指示されたことシステム制御部１０２が入力制御部１０８を通じて確認したとき（Ｙｅｓ）、ＣＰＵ１０１によって電源ＯＦＦするための処理動作が行われる（ＳＴＥＰ２０３）。又、ＳＴＥＰ２０１で入力部１０９による電源ＯＦＦの指示でないことが確認されたとき（Ｎｏ）、又は、ＳＴＥＰ２０２で所定の操作が行われなかったとき（Ｎｏ）、ネットワーク制御部１２５を通じてネットワークインターフェース１２４の状態を確認して、機能データ又はソフトウェアのダウンロードを行っているか否かが確認される（ＳＴＥＰ２０４）。
【０１２９】
又、このとき、ネットワークインターフェース１２４において通信動作が行われていないこと、即ち、ダウンロード動作が行われていないことが確認されると（Ｎｏ）、記録装置部１０６の状態を確認して、ダウンロードを行った機能データ及びソフトウェアの書き込みを行っているか否かを確認する（ＳＴＥＰ２０５）。そして、記録装置部１０６への書き込みが行われていないこと、即ち、ダウンロードした機能データ及びソフトウェアの登録が行われていないことが確認されると（Ｎｏ）、ＡＶデータ受信装置２の機能に対応した機能変更が行われているか否かが確認される（ＳＴＥＰ２０６）。
【０１３０】
更に、又、このとき、ＡＶデータ受信装置２の機能に対応した機能変更が行われていないことが確認されると（Ｎｏ）、ＳＴＥＰ２０３に移行して電源ＯＦＦとする処理動作が行われる。又、ＳＴＥＰ２０４でダウンロード動作が継続されていることが確認されたとき（Ｙｅｓ）、又は、ＳＴＥＰ２０５で登録動作が継続されていることが確認されたとき（Ｙｅｓ）、ＳＴＥＰ２０６で機能変更動作が行われていることが確認されたとき（Ｙｅｓ）、ＳＴＥＰ２０１に移行して、入力部１０９が操作されて電源ＯＦＦが指示されたか否かの確認が行われる。よって、図８及び図９のフローチャートに従って行われる初期化設定動作が終了するまで、電源ＯＦＦを指示されても、強制的に行うことが指示されない限り、電源ＯＮの状態とすることができる。
【０１３１】
本実施形態において、ダウンロードによる機能データ及びソフトウェアの追加が全く行われていない状態で既に個別対応情報記憶部１０６ａ及び記録装置部１０６それぞれに格納される機能データ及びソフトウェアがオリジナルデータとして書き込みを禁止する固定領域に格納するものとしても構わない。又、ダウンロードされた機能データ及びソフトウェアが一時的に格納される記録領域が個別対応情報記憶部１０６ａ及び記録装置部１０６に備えられ、完全にダウンロードされたときに既に格納されている機能データ及びソフトウェアが格納されている領域に追加されて格納されるものとしても構わない。
【０１３２】
又、本実施形態において、ダウンロードされたソフトウェアが記録装置部１０６に格納されるものとしたが、ＢＩＯＳ部１０３及びデータ生成部１１４に格納されるものとしても構わないし、個別対応情報記憶部１０６ａがＢＩＯＳ部１０３及び記録装置部１０６及びデータ生成部１１４の一部として備えられるものとしても構わない。
【０１３３】
更に、ＡＶデータ送信装置１がＡＶデータ受信装置２の機能に対応した機能に設定する初期設定動作が行われて、機能変更完了信号を送信するまで暗号化コードを使用することなく通信が行われるものとしたが、ＡＶデータ送信装置１とＡＶデータ受信装置２との間で暗号化コードの同一化を行った後に初期設定動作が行われるようにして、ＡＶデータ送信装置１とＡＶデータ受信装置２との間で暗号化コードを用いた通信が行われるものとしても構わない。又、この初期設定動作を行うための共通の暗号化コードがＡＶデータ送信装置１とＡＶデータ受信装置２とに格納されて、この暗号化コードを用いた通信を行うことで初期設定動作が行われるものとしても構わない。
【０１３４】
＜第２の実施形態＞
本発明の第２の実施形態について、図面を参照して以下に説明する。本実施形態では、図１のように、ＡＶデータ無線通信システムが構成されるとともに、ＡＶデータ送信装置及びＡＶデータ受信装置及びＡＶデータ通信管理用サーバが、第１の実施形態と同様、図２〜図４のように構成される。又、ＡＶデータ送信装置とＡＶデータ受信装置との間で行われるＡＶデータや制御データの送受信動作についても、第１の実施形態と同一の動作を行う。
【０１３５】
第１の実施形態では、ＡＶデータ受信装置２から自機器の機種を表す機種ＩＤを固有データ部２０６に備えるものとしたが、本実施形態では、ＡＶデータ受信装置２それぞれに割り当てられた自機器のみを表す装置ＩＤを固有データ部２０６に備える。又、ＡＶデータ送信装置１それぞれにも装置ＩＤが割り当てられ、この装置ＩＤが個別対応情報記憶部１０６ａに格納される。そして、ＡＶデータ通信管理用サーバ３では、ＡＶデータ送信装置１それぞれを表す装置ＩＤに対して通信許可されたＡＶデータ受信装置の装置ＩＤとその機種が登録された図１１のような機種特定テーブルと、図１１のような機種特定テーブルで特定される機種それぞれに対する機能データが登録された図１２のような機能特定テーブルが記録装置部２５７に格納される。
【０１３６】
即ち、図１１の機種特定テーブルによって、装置ＩＤがＸとなるＡＶデータ送信装置１に対して、装置ＩＤがａ〜ｅとなるＡＶデータ受信装置２が通信許可されるとともに、装置ＩＤがａ、ｂとなるＡＶデータ受信装置２の機種がＡであり、装置ＩＤがｃとなるＡＶデータ受信装置２の機種がＢであり、装置ＩＤがｄ、ｅとなるＡＶデータ受信装置２の機種がＣであることが示される。
【０１３７】
又、図１２の機能特定テーブルには、機種Ａ〜Ｃそれぞれに対するＡＶデータ受信装置２の機能データとして、図５の機能特定テーブルと同様、映像信号の圧縮形式及びビットレート及び著作権保護のための暗号化著作権方式、再生表示時の解像度及びフレームレート、音声信号の圧縮形式及びビットレート及び著作権保護のための暗号化著作権方式、最適とされるパケット長、使用されるリモコン方式などが、記録される。
【０１３８】
更に、本実施形態では、ＡＶデータ送信装置１の個別対応情報記憶部１０６ａに記録される機能特定テーブルは、第１の実施形態のように、機種ＩＤ毎に機能データが登録されたものではなく、図１３のように、装置ＩＤ毎に機能が登録されたものとされても構わない。又、ＡＶデータ通信管理用サーバ３の記録装置部２５７においても、図１１の機種特定テーブル及び図１２の機能特定テーブルが格納されるようにしても構わないし、図１３の機能特定テーブルが格納されるようにしても構わない。
【０１３９】
このようにＡＶデータ送信装置１及びＡＶデータ通信管理用サーバ３に格納される各テーブルが構成されるとき、第１の実施形態と同様、初期化設定動作は、図８及び図９のフローチャートに従って行われる。このとき、第１の実施形態と異なり、ＡＶデータ受信装置２からは機種ＩＤの代わりに装置ＩＤが送信されるため、ＳＴＥＰ１では、ＡＶデータ受信装置２の装置ＩＤを確認する。そして、ＳＴＥＰ４及びＳＴＥＰ５においては、個別対応情報記憶部１０６ａ内における図１１の機種特定テーブル内の装置ＩＤ又は図１３のような機能特定テーブル内の装置ＩＤと受信した装置ＩＤとの比較を行い、一致するか否かを確認する。
【０１４０】
そして、ＳＴＥＰ５において、ＳＴＥＰ１で受信した装置ＩＤが個別対応情報記憶部１０６ａ内の装置ＩＤの一つと一致したとき、通信許可したＡＶデータ受信装置２であることを確認し、ＳＴＥＰ６以降の動作を行う。尚、ＳＴＥＰ６以降の動作については、第１の実施形態と同様であるので、詳細な説明は省略する。又、ＳＴＥＰ５において一致する装置ＩＤが確認されなかったとき、ＳＴＥＰ１１及びＳＴＥＰ１２の動作を行う。このとき、ＡＶデータ通信管理用サーバ３と通信可能で且つダウンロード回数ＮｘがＮｘ１に至っていない場合、ＳＴＥＰ１３においてＡＶデータ通信管理用サーバ３と通信接続をした後、ＳＴＥＰ１４において自機器の装置ＩＤ及びＳＴＥＰ１で受信したＡＶデータ受信装置２の装置ＩＤを含む機能データ要求信号を送信する。
【０１４１】
この機能データ要求信号をＡＶデータ通信管理用サーバ３が受信すると、システム制御部２５２において、図１４のフローチャートに従った動作を行うことで、ＡＶデータ受信装置２の機能データを読み出す。以下では、図１１のような機種特定テーブル及び図１２のような機能特定テーブルをＡＶデータ通信管理用サーバ３が備えるものとして説明する。このとき、まず、機能データ要求信号を受信すると（ＳＴＥＰ３０１）、ＡＶデータ送信装置１の装置ＩＤより機能データの要求を行っているＡＶデータ送信装置１を確認する（ＳＴＥＰ３０２）。
【０１４２】
このようにして確認されたＡＶデータ送信装置１に対して通信許可されたＡＶデータ受信装置２それぞれの装置ＩＤを機種特定テーブルから読み出して、受信した機能データ要求信号によるＡＶデータ受信装置２の装置ＩＤと比較する（ＳＴＥＰ３０３）。このとき、機種特定テーブルから確認されるＡＶデータ送信装置１に対して通信許可されたＡＶデータ受信装置２の装置ＩＤのうち、機能データ要求信号から確認されるＡＶデータ受信装置２の装置ＩＤと一致するものがあるか否かが確認される（ＳＴＥＰ３０４）。
【０１４３】
このとき、機能データ要求信号から確認されるＡＶデータ受信装置２の装置ＩＤが、通信許可されたＡＶデータ受信装置２の装置ＩＤの一つと一致するとき（Ｙｅｓ）、その機種が機種特定テーブルより認識される（ＳＴＥＰ３０５）。そして、機種特定テーブルにより認識された機種に対する機能データが、記録装置部２５７内の機能特定テーブルより読み出されて、ＡＶデータ送信装置１に対してネットワークインターフェース２５５より送信される（ＳＴＥＰ３０６）。又、ＳＴＥＰ３０４で機能データ要求信号から確認されるＡＶデータ受信装置２の装置ＩＤと一致する装置ＩＤが機種特定テーブルより確認できなかったとき（Ｎｏ）、システム制御部２５２でエラー信号が生成されてネットワークインターフェース２５５より送信される（ＳＴＥＰ３０７）。
【０１４４】
このようなエラー信号及び機能データがＡＶデータ通信管理用サーバ３より送信されると、ＡＶデータ送信装置１では、エラー信号を受信したか否かがＳＴＥＰ１５において確認される。このＳＴＥＰ１５以降の動作については、第１の実施形態と同様の動作を行うので、詳細な説明は省略する。
【０１４５】
このように装置ＩＤによって機能データを管理することによって、ＡＶデータ送信装置１は、通信許可したＡＶデータ受信装置２を装置毎に管理することができる。又、ＡＶデータ通信管理用サーバ３において、各ＡＶデータ送信装置１に対して通信許可したＡＶデータ受信装置２を装置毎に管理することができる。
【０１４６】
このとき、例えば、ＡＶデータ受信装置２を販売した販売店又は購入したユーザからネットワーク４を通じてＡＶデータ通信管理用サーバ３に、販売又は購入したＡＶデータ受信装置２を通信許可するＡＶデータ送信装置１の装置ＩＤとＡＶデータ受信装置２の装置ＩＤ及び機種が送信されると、ＡＶデータ通信管理用サーバ３において、機種特定テーブルに追加登録されるようにしても構わない。
【０１４７】
又、機種特定テーブルをユーザ毎に管理を行うためのテーブルとしても構わない。このとき、ユーザを特定するＩＤとユーザが購入したＡＶデータ送信装置１の装置ＩＤ又はＡＶデータ受信装置２の装置ＩＤとがＡＶデータ通信管理用サーバ３に通知されて、ユーザが所有するＡＶデータ送信装置１とＡＶデータ受信装置２との間で通信許可されるように、機種特定テーブルには、ユーザが所有するＡＶデータ送信装置１それぞれの装置ＩＤに対して、同じユーザが所有するＡＶデータ受信装置２それぞれの装置ＩＤと機種とが登録される。
【０１４８】
＜第３の実施形態＞
本発明の第３の実施形態について、図面を参照して以下に説明する。本実施形態では、図１のように、ＡＶデータ無線通信システムが構成されるとともに、ＡＶデータ送信装置及びＡＶデータ受信装置及びＡＶデータ通信管理用サーバが、第１の実施形態と同様、図２〜図４のように構成される。又、ＡＶデータ送信装置とＡＶデータ受信装置との間で行われるＡＶデータや制御データの送受信動作についても、第１の実施形態と同一の動作を行う。尚、本実施形態において、第２の実施形態と同様、ＡＶデータ送信装置１及びＡＶデータ受信装置２では、装置ＩＤが格納される。
【０１４９】
本実施形態において、ＡＶデータ受信装置２の装置ＩＤは、図１５のように、例えば、６４［ｂｉｔ］で構成され、上位側の３３［ｂｉｔ］のデータｄｘが、ＡＶデータ受信装置２の機能を特定するための機能データとなるとともに、下位側の３１［ｂｉｔ］のデータがｄｙ、ＡＶデータ受信装置２個々に割り当てられた固有ＩＤとなる。更に、装置ＩＤにおける上位側の３３［ｂｉｔ］における機能データは、映像信号の圧縮形式を表す３［ｂｉｔ］の機能条件データｄａと、再生時の解像度を表す３［ｂｉｔ］の機能条件データｄｂと、映像信号のビットレートを表す４［ｂｉｔ］の機能条件データｄｃと、再生時のフレームレートを表す４［ｂｉｔ］の機能条件データｄｄと、映像信号の暗号化著作権方式を表す３［ｂｉｔ］の機能条件データｄｅと、音声信号の圧縮形式を表す３［ｂｉｔ］の機能条件データｄｆと、音声信号のビットレートを表す４［ｂｉｔ］の機能条件データｄｇと、音声信号の暗号化著作権方式を表す３［ｂｉｔ］の機能条件データｄｈと、最適パケット長を表す３［ｂｉｔ］の機能条件データｄｉと、リモコン方式を表す３［ｂｉｔ］の機能条件データｄｊと、を備える。
【０１５０】
又、ＡＶデータ送信装置１は、個別対応情報記憶部１０６ａに、機能条件データｄａ〜ｄｊそれぞれの符号とその符号が表す各機能の条件とを記録した図１６に示すような機能特定テーブルと、通信許可したＡＶデータ受信装置２それぞれの固有ＩＤｄｙを記録した許可装置テーブルとを備える。図１６の機能特定テーブルでは、例えば、機能条件データｄａについては、”０００”がＭＰＥＧ２＿ＴＳの圧縮方式を、”００１”がＭＰＥＧ２＿ＰＳの圧縮方式を、”０１０”がＭＰＥＧ４の圧縮方式を、それぞれ表す。機能条件データｄｂ〜ｄｊについても、同様に、それぞれの機能条件データを表す各符号がそれぞれの機能の条件を表す。
【０１５１】
又、ＡＶデータ通信管理用サーバ３の記録装置部２５７においても、図１６と同様の図１７に示す機能特定テーブルと、図１８に示す各ＡＶデータ送信装置１に対して通信許可されたＡＶデータ受信装置２の固有ＩＤを格納した許可装置テーブルとを記録する。尚、図１７の機能特定テーブルにおいて機能条件データｄａ〜ｄｊそれぞれに対して記録される符号の数は、図１６の機能特定テーブルに記録されている符号の数以上となり、各機能の条件が多く登録されている。
【０１５２】
又、図１８の許可装置テーブルにおいて、各ＡＶデータ送信装置の装置ＩＤに対して格納されるＡＶデータ受信装置２の固有ＩＤの数は、それぞれのＡＶデータ送信装置１が格納する許可装置テーブル内の固有ＩＤの数以上となる。そして、図１８の許可装置テーブルにおいて、装置ＩＤがＸとなるＡＶデータ送信装置１に対して、固有ＩＤがａ〜ｅとなるＡＶデータ受信装置２が通信許可されているものとする。
【０１５３】
このとき、ＡＶデータ送信装置１は、ＡＶデータ受信装置２の機能に対応した機能に変換するための初期化設定動作を、図１９のフローチャートに従って行う。尚、図１９のフローチャートにおいて、図８と同一の動作を行うステップについては同一の符号を付し、その詳細な説明は省略する。又、本実施形態では、第１の実施形態のように機種ＩＤによりＡＶデータ受信装置２を機種毎でなく、第２の実施形態における装置ＩＤに相当する固有ＩＤによって各装置毎に管理するため、第２の実施形態の動作に基づいた動作を行う。
【０１５４】
まず、ＡＶデータ受信装置２において、固有データ部２０６に格納された装置ＩＤが読み出されて高周波信号に変換されて送信されると、ＡＶデータ送信装置１が受信し、この装置ＩＤをデータ受信部１１８で確認する（ＳＴＥＰ１）。そして、ＳＴＥＴＰ２及びＳＴＥＰ３で、第１及び第２の実施形態と同様、ダウンロード回数Ｎｘ、Ｎｙを初期化する。
【０１５５】
そして、ＳＴＥＰ１で受信した装置ＩＤは、バス回線１２３を通じてシステム制御部１０２に与えられるとメインメモリ１０４に与えられて格納され、システム制御部１０２において、この装置ＩＤ内の固有ＩＤが個別対応情報記憶部１０６ａ内の許可装置テーブルに記録した固有ＩＤと比較される（ＳＴＥＰ１５０）。そして、ＳＴＥＰ１で受信した装置ＩＤから得られる固有ＩＤと一致する固有ＩＤが個別対応情報記憶部１０６ａ内の許可装置テーブルに存在するか否かが確認される（ＳＴＥＰ１５１）。
【０１５６】
このとき、許可装置テーブル内に一致する固有ＩＤが存在しないことを確認すると（Ｎｏ）、メインメモリ１０４に一時的に格納した装置ＩＤ内の機能データの各機能条件データｄａ〜ｄｊより、個別対応情報記憶部１０６ａ内の機能特定テーブルに登録されていない符号を備えた機能条件データｄ１（ｄ１はｄａ〜ｄｊのいずれかであり複数の場合もある）を確認し、この機能条件データｄ１及びその登録されていない符号を要求機能データとしてメインメモリ１０４内に格納する（ＳＴＥＰ１５２）。
【０１５７】
その後、第２の実施形態と同様、ＳＴＥＰ１１及びＳＴＥＰ１２において、ＡＶデータ通信管理用サーバ３と通信可能であるとともにダウンロード回数ＮｘがＮｘ１に至っていないとき、ＳＴＥＰ１３においてＡＶデータ通信管理用サーバ３と通信接続する。そして、ＳＴＥＰ１４において、メインメモリ１０４内に格納した要求機能データと固有ＩＤとを読み出して、この要求機能データ及び固有ＩＤと自機器の装置ＩＤとを含む機能データ要求信号をシステム制御部１０２で生成した後、ネットワーク制御部１２５を介してネットワークインターフェース１２４より送信する。
【０１５８】
この機能データ要求信号をＡＶデータ通信管理用サーバ３が受信すると、システム制御部２５２において、第２の実施形態と同様、図２０のフローチャートに従った動作を行うことで、ＡＶデータ受信装置２の機能データを読み出す。尚、図２０のフローチャートにおいて、図１４のフローチャートと同一の動作を行うステップについては、同一の符号を付して詳細な説明は省略する。このとき、まず、ＳＴＥＰ３０１及びＳＴＥＰ３０２において、機能データ要求信号を受信して、装置ＩＤよりＡＶデータ送信装置１を確認する。
【０１５９】
そして、このようにして確認されたＡＶデータ送信装置１に対して通信許可されたＡＶデータ受信装置２それぞれの固有ＩＤを図１８のような許可装置テーブルから読み出して、受信した機能データ要求信号によるＡＶデータ受信装置２の固有ＩＤと比較する（ＳＴＥＰ３０３）。このとき、許可装置テーブルから確認されるＡＶデータ送信装置１に対して通信許可されたＡＶデータ受信装置２の固有ＩＤのうち、機能データ要求信号から確認されるＡＶデータ受信装置２の固有ＩＤと一致するものがあるか否かが確認される（ＳＴＥＰ３５４）。
【０１６０】
このとき、機能データ要求信号から確認されるＡＶデータ受信装置２の固有ＩＤが、通信許可されたＡＶデータ受信装置２の固有ＩＤの一つと一致するとき（Ｙｅｓ）、機能データ要求信号から確認される要求機能データが確認される（ＳＴＥＰ３５５）。そして、この要求機能データに含まれる各機能条件データｄ１の符号が表す機能の条件が、図１７のような機能特定テーブルより読み出されて、ＡＶデータ送信装置１に対してネットワークインターフェース２５５より送信される（ＳＴＥＰ３５６）。読み出された各機能の条件は、要求機能データに含まれる各機能条件データｄ１及びその符号と関連づけられて送信される。又、ＳＴＥＰ３５４で機能データ要求信号から確認されるＡＶデータ受信装置２の固有ＩＤと一致する固有ＩＤが確認できなかったとき（Ｎｏ）、ＳＴＥＰ３０７のようにエラー信号が送信される。
【０１６１】
このようなエラー信号及び読み出された機能の条件がＡＶデータ通信管理用サーバ３より送信されると、ＡＶデータ送信装置１では、エラー信号を受信したか否かがＳＴＥＰ１５において確認される。そして、ＳＴＥＰ１５でエラー信号が受信されなかったとき（Ｎｏ）、ＡＶデータ通信管理用サーバ３より受信した各機能条件データｄ１の符号に対する機能の条件を確認すると、確認した機能の条件を、この機能の条件を表す機能条件データｄ１の符号とともに、図１６のような機能特定テーブルに追加して個別対応情報記憶部１０６ａに格納する（ＳＴＥＰ１６）。その後、メインメモリ１０４内に格納した固有ＩＤを、許可装置テーブルに追加して個別対応情報記憶部１０６ａに格納した後（ＳＴＥＰ１５３）、ダウンロード回数Ｎｘを１つ計数する（ＳＴＥＰ１７）。そして、ＳＴＥＰ１５１に移行する。
【０１６２】
このようにすることで、例えば、装置ＩＤとしてＸを備えるＡＶデータ送信装置１が、図１６のような機能特定テーブルと、通信許可したＡＶデータ受信装置２の固有ＩＤとしてａ〜ｃが登録された許可装置テーブルとを、個別対応情報記憶部１０６ａに格納しているものとする。又、固有ＩＤとしてｄを備えるＡＶデータ受信装置より装置ＩＤが送信されるとき、この装置ＩＤ内の機能データが”０１１  １００  １０１１  １００１  ００１  ０１１  ００１０  ００１  １００  ０００”となり、機能条件データｄａ〜ｄｊがそれぞれ、”０１１”、”１００”、”１０１１”、”１００１”、”００１”、”０１１”、”００１０”、”００１”、”１００”、”０００”となる。
【０１６３】
このような装置ＩＤをＡＶデータ送信装置１が受信すると、許可装置テーブルに格納して固有ＩＤａ〜ｃと、受信したＡＶデータ受信装置２の装置ＩＤにおける固有ＩＤｄとを比較したとき、一致しないことが確認される。そして、機能データから確認される機能条件データｄａ〜ｄｊの各符号が、図１６の機能特定テーブルに登録されているか否かの確認を行う。
【０１６４】
このとき、機能条件データｄａの符号”０１１”と、機能条件データｄｂの符号”１００”と、機能条件データｄｆの符号”０１１”と、機能条件データｄｉの符号”１００”に対して、図１６の機能特定テーブルに、その条件が登録されていないことが確認される。よって、この機能条件データｄａ，ｄｂ，ｄｆ，ｄｉが、その符号”０１１”、”１００”、”０１１”、”１００”とともに、要求機能データとされる。そして、この要求機能データとＡＶデータ送信装置１の装置ＩＤＸとＡＶデータ受信装置２の固有ＩＤｄによる機能データ要求信号を送信する。
【０１６５】
この機能データ要求信号をＡＶデータ通信管理用サーバ３が受信すると、機能データ要求信号における装置ＩＤＸよりＡＶデータ送信装置１に対して通信許可されるＡＶデータ受信装置２の固有ＩＤがａ〜ｅであることが図１８の許可装置テーブルより確認される。よって、図１８の許可装置テーブルで確認される固有ＩＤａ〜ｅには、機能データ要求信号より得られる固有ＩＤｄが含まれるため、装置ＩＤＸのＡＶデータ送信装置１に対して固有ＩＤｄのＡＶデータ受信装置２が通信許可されていることが確認される。
【０１６６】
そして、機能データ要求信号から確認される要求機能データより、機能条件データｄａの符号”０１１”と、機能条件データｄｂの符号”１００”と、機能条件データｄｆの符号”０１１”と、機能条件データｄｉの符号”１００”に対する条件が求められることが確認される。これらの機能条件データｄａ，ｄｂ，ｄｆ，ｄｉ及びそれぞれの符号”０１１”、”１００”、”０１１”、”１００”が、図１７の機能特定テーブルと照合されることで、機能条件が確認される。即ち、映像信号の圧縮方式としてＭＰＥＧ４＿ＡＶＣ方式が、解像度として１２８０×７２０が、音声信号の圧縮方式としてＡＭＲ方式が、最適パケット長として５１２［ｂｉｔ］が、それぞれ確認される。
【０１６７】
このようにして、機能条件データｄａ，ｄｂ，ｄｆ，ｄｉそれぞれの符号”０１１”、”１００”、”０１１”、”１００”に対する機能条件が確認されると、この機能条件を、機能条件データｄａ，ｄｂ，ｄｆ，ｄｉ及びそれぞれの符号”０１１”、”１００”、”０１１”、”１００”とともに、ＡＶデータ送信装置１に送信する。よって、ＡＶデータ送信装置１では、メインメモリ１０４に格納したＡＶデータ受信装置２の固有ＩＤｄを許可装置テーブルに加えて登録するとともに、機能条件データｄａ，ｄｂ，ｄｆ，ｄｉそれぞれの符号”０１１”、”１００”、”０１１”、”１００”に対する機能条件”ＭＰＥＧ４＿ＡＶＣ方式”、”１２８０×７２０”、”ＡＭＲ方式”、”５１２［ｂｉｔ］”を図１６の機能特定テーブルに加えて登録する。
【０１６８】
又、ＳＴＥＰ１５１で許可装置テーブル内に一致する固有ＩＤが存在することを確認すると（Ｙｅｓ）、メインメモリ１０４に格納した装置ＩＤの機能データにおける各機能条件データｄａ〜ｄｊがシステム制御部１０２で解析される（ＳＴＥＰ１５４）。そして、装置ＩＤの機能データにおける各機能条件データｄａ〜ｄｊの符号が個別対応情報記憶部１０６ａ内の機能特定テーブルに登録されて、その機能条件を特定することができるか否かが確認される（ＳＴＥＰ１５５）。このとき、装置ＩＤの機能条件データにおいて、機能特定テーブルに登録されていない符号となる機能条件データが存在し、その機能条件が特定できないことが確認されると（Ｎｏ）、ＳＴＥＰ１５２以降の動作を行う。
【０１６９】
又、装置ＩＤによる機能条件データｄａ〜ｄｊの符号が全て機能特定テーブルに登録されて、その機能条件を特定することができるとき（Ｙｅｓ）、ＳＴＥＰ６以降の動作を行う。尚、このＳＴＥＰ６以降の動作は、第２の実施形態と同様となるため、その詳細な説明は省略する。
【０１７０】
又、ＡＶデータ受信装置２の図１５に示す装置ＩＤに含まれる機能データを別の付加データとし、装置ＩＤは固有ＩＤでのみ構成されるものとしても構わない。このとき、図１５の装置ＩＤの機能データを図２１に示すような機能付加データとして装置ＩＤと別に送信されるものとしても構わない。即ち、図２１の機能付加データのみがＡＶデータ受信装置２からＡＶデータ送信装置１に送信され、ＡＶデータ送信装置１は、図１９のフローチャートにおいて、ＳＴＥＰ１５０及びＳＴＥＰ１５１のステップが省略された動作を行うことで、機能変更するための初期化設定動作を行う。尚、このとき、ＳＴＥＰ１５４で機能付加データ内の機能条件データの符号が解析されて、その符号の登録がＳＴＥＰ１５５で確認される。
【０１７１】
又、図２１のような機能付加データ及び装置ＩＤをともにＡＶデータ送信装置１に送信するようにしても構わない。このとき、ＳＴＥＰ１５０及びＳＴＥＰ１５１では、第２の実施形態と同様、ＡＶデータ受信装置２の装置ＩＤを確認することで、通信許可したＡＶデータ受信装置２であるか否かを確認する。ＳＴＥＰ１５４及びＳＴＥＰ１５５では、機能付加データの機能条件データの符号が確認される。
【０１７２】
更に、ＡＶデータ通信管理用サーバ３が受信した機能データ要求信号の要求機能データより確認される機能条件データの符号が、記録装置部２５７内の機能特定テーブルで登録されていないものである場合、エラー信号をＡＶデータ送信装置１に対して送信するようにしても構わない。又、ＡＶデータ通信管理用サーバ３には、新しい機能条件を備えたＡＶデータ受信装置２が生産されると、記録装置２５７内の機能特定テーブルにその新しい機能条件に対応させる符号が、その機能条件データに対応させて登録されるものとしても構わない。
【０１７３】
＜第４の実施形態＞
本発明の第４の実施形態について、図面を参照して以下に説明する。本実施形態では、図１のように、ＡＶデータ無線通信システムが構成されるとともに、ＡＶデータ送信装置及びＡＶデータ受信装置及びＡＶデータ通信管理用サーバが、第１の実施形態と同様、図２〜図４のように構成される。又、ＡＶデータ送信装置とＡＶデータ受信装置との間で行われるＡＶデータや制御データの送受信動作についても、第１〜第３の実施形態と同一の動作を行うとともに、機能変更の初期化設定動作は、第１又は第２の実施形態のいずれかと同一の動作を行う。
【０１７４】
本実施形態では、機能条件を変更することが可能なＡＶデータ受信装置２が機種ＩＤ又は装置ＩＤを、固有データ部２０６において、複数格納する。以下では、第１の実施形態のように、機種ＩＤを使用するものとして説明する。このようにＡＶデータ受信装置２の固有データ部２０６に格納された機種ＩＤは、異なる機能条件毎に対応されて設定されるものである。即ち、例えば、映像信号の圧縮方式として、ＭＰＥＧ２＿ＴＳ方式とＭＰＥＧ２＿ＰＳ方式とから選択可能で、再生時の解像度として３２０×２４０と６４０×４８０と７２０×４８０とから選択可能である場合、それぞれの機能条件を組み合わせた６つの機種ＩＤを備えることとなる。
【０１７５】
そして、本実施形態では、第１の実施形態と異なり、ＡＶデータ送信装置１において機能変更のための初期化設定動作が行われるように、ＡＶデータ受信装置２から機種ＩＤを含む高周波信号をＡＶデータ送信装置１に送信する際、入力部２０９が操作されて、ユーザが所望する機能条件が入力される。このとき、表示部２０７において、図２２のような表示が成される。即ち、変更可能な機能条件については、入力部２０９より入力される条件を表示し、変更不可能な機能条件については変更不可能であることを示す「不可」の表示を行う。
【０１７６】
そして、このようにして入力部２０９より入力された機能条件によって決定される機種ＩＤが固有データ部２０６より選択されて、高周波信号に変換されて送信される。このようにして送信された機種ＩＤを含む高周波信号をＡＶデータ送信装置１が受信すると、第１の実施形態と同様の動作を行うことによって、機能変更のための初期化設定動作を行う。よって、ＡＶデータ送信装置１は、映像エンコード部１１１及び音声エンコード部１１３及びデータ生成部１１４及びデータ受信部１１８のソフトウェアを、ＡＶデータ受信装置２で選択された機能条件に対応した機能を実現するものに変更する。
【０１７７】
このとき、例えば、図２３（ａ）のように、ＡＶデータ送信装置１が機種ＩＤｘ，ｙを備えるとともに、ＡＶデータ受信装置２が機種ＩＤｘ〜ｚを備えているものとする。そして、ＡＶデータ受信装置２から機種ＩＤｘがＡＶデータ送信装置１に送信されると、図２３（ｂ）のように、機種ＩＤｘに応じた機能条件Ｘに機能変更するように初期化設定動作を行い、ＡＶデータ送信装置１とＡＶデータ受信装置２との間で通信が行われる。その後、ＡＶデータ受信装置２から機種ＩＤｙがＡＶデータ送信装置１に送信されると、図２３（ｃ）のように、機種ＩＤｙに応じた機能条件Ｙに機能変更するように初期化設定動作を行い、ＡＶデータ送信装置１とＡＶデータ受信装置２との間で通信が行われる。
【０１７８】
更に、ＡＶデータ受信装置２から装置ＩＤｚがＡＶデータ送信装置１に送信されるとき、ＡＶデータ送信装置１の個別対応情報記憶部１０６ａ内の機能特定テーブルに機種ＩＤｚが格納されていないとき、ＡＶデータ通信管理用サーバ３に機種ＩＤｚによる機能データ及び機能変更するためのソフトウェアを要求する。そして、図２３（ｄ）のように、ＡＶデータ通信管理用サーバ３から機種ＩＤｚに応じた機能条件ＺがＡＶデータ送信装置１に送信される。その後、ＡＶデータ送信装置１は、図２３（ｅ）のように、機種ＩＤｚに応じた機能条件Ｚに機能変更するように初期化設定動作を行い、ＡＶデータ送信装置１とＡＶデータ受信装置２との間で通信が行われる。
【０１７９】
尚、本実施形態では、上述のように、第１の実施形態と同様の機種ＩＤを利用したものとしたが、第２の実施形態と同様の装置ＩＤを利用したものにおいても同様の動作を行うことで実現可能である。このとき、第２の実施形態のように機種特定テーブル及び機能特定テーブルを備える代わりに、各装置ＩＤで表される機能条件を確認するための機能特定テーブルのみを備えるものとして、受信した装置ＩＤによってＡＶデータ送信装置１の機能設定が行われるものとしても構わない。
【０１８０】
＜第５の実施形態＞
本発明の第５の実施形態について、図面を参照して以下に説明する。本実施形態では、図１のように、ＡＶデータ無線通信システムが構成されるとともに、ＡＶデータ送信装置及びＡＶデータ受信装置及びＡＶデータ通信管理用サーバが、第１の実施形態と同様、図２〜図４のように構成される。又、ＡＶデータ送信装置とＡＶデータ受信装置との間で行われるＡＶデータや制御データの送受信動作についても、第１〜第３の実施形態と同一の動作を行うとともに、機能変更の初期化設定動作は、第１又は第２の実施形態のいずれかと同一の動作を行う。
【０１８１】
本実施形態では、ＡＶデータ送信装置１の個別対応情報記憶部１０６ａに格納される機能特定テーブルに機能条件が登録されるとき、複数の条件が選択可能な機能条件を備えるＡＶデータ受信装置２については、選択可能な全ての条件が機能条件として登録される。このうち、複数の条件を登録した機能条件については、複数の条件の内の１つの条件を基本条件として登録する。
【０１８２】
即ち、例えば、ＡＶデータ受信装置２が、映像信号の圧縮方式として、ＭＰＥＧ２＿ＴＳ方式とＭＰＥＧ２＿ＰＳ方式とから選択可能で、再生時の解像度として３２０×２４０と６４０×４８０と７２０×４８０とから選択可能であるものとする。このとき、ＡＶデータ送信装置１の機能特定テーブルには、このＡＶデータ受信機能２に対応した機種ＩＤ又は装置ＩＤに対して、映像信号の圧縮方式としてＭＰＥＧ２＿ＴＳ方式とＭＰＥＧ２＿ＰＳ方式とが、再生時の解像度として３２０×２４０と６４０×４８０と７２０×４８０とが登録される。そして、ＭＰＥＧ２＿ＴＳ方式及び６４０×４８０が基本条件とされるとき、映像信号の圧縮方式の基本条件としてＭＰＥＧ２＿ＴＳ方式が、再生時の解像度の基本条件として６４０×４８０が、それぞれ、機能特定テーブルに登録される。
【０１８３】
又、このＡＶデータ受信装置２において、その他の機能条件が１つの条件に特定されている場合は、このＡＶデータ受信機能２に対応した機種ＩＤ又は装置ＩＤに対して１つの条件のみが機能特定テーブルに登録される。このとき、この１つの条件に特定されている機能条件については、その特定された１つの条件が基本条件である。
【０１８４】
又、ＡＶデータ送信装置１は、ＡＶデータ受信装置２に応じた機能変更のための初期化設定動作において、機能変更するためのソフトウェアを記録装置部１０６内に格納しているか否かをＳＴＥＰ６で確認する際、複数の条件が選択可能な機能条件を備えているＡＶデータ受信装置２については、この複数の条件それぞれに応じたソフトウェアを記録しているか否かが確認される。そして、複数の条件それぞれに応じたソフトウェア全てを記録装置部１０６内に記録している場合、ＳＴＥＰ７に移行し、ＳＴＥＰ７以降の動作が行われて、各ブロックの機能変更が成される。
【０１８５】
又、ＡＶデータ送信装置１は、予め、ＳＴＥＰ７におけるＡＶデータ受信装置２に応じた機能に設定するための機能変更動作を、自動的に行うか又はユーザによる設定動作に従って行うかが設定される。このとき設定される機能変更動作の動作方式は、入力部１０９がユーザによって操作されることによって設定される。このとき、表示部１０７には、図２４のように設定可能な動作方式が表示される。尚、この機能変更動作の動作方式は、ＡＶデータ送信装置１と通信可能なＡＶデータ受信装置２を通じて設定されても構わない。
【０１８６】
又、図２４の表示例のように、機能変更動作の動作方式として、「ユーザ設定方式」、「最適値設定方式」、「前回利用時設定方式」、「送信装置設定方式」、「受信装置設定方式」が選択可能であるものとする。そして、ユーザ設定方式が選択されると、このユーザ設定方式の選択時にユーザが最適とする画質及び音質及び消費電力値も選択され、ＳＴＥＰ７における機能変更動作が行われるとき、選択された画質及び音質及び消費電力値に近い状態とすることができる機能条件が、機能設定の対象とされるＡＶデータ受信装置２において選択可能な範囲で選択される。又、最適値設定方式が選択されると、ＳＴＥＰ７における機能変更動作が行われるとき、最高画質及び最高音質及び最低消費電力とすることができる機能条件が、機能設定の対象とされるＡＶデータ受信装置２において選択可能な範囲で選択される。
【０１８７】
又、前回利用時設定方式が選択されると、ＳＴＥＰ７における機能変更動作が行われるとき、機能設定の対象とされるＡＶデータ受信装置２が前回ＡＶデータ送信装置１と通信したときに設定された機能条件が選択される。又、送信装置設定方式が選択されると、ＳＴＥＰ７における機能変更動作が行われるとき、ＡＶデータ送信装置１において、機能条件が表示部１０７に表示されるとともに、ユーザ所望の機能条件が入力部１０９を通じて入力されて設定される。又、受信装置設定方式が選択されると、ＳＴＥＰ７における機能変更動作が行われるとき、ＡＶデータ受信装置２の表示部２０７に機能条件が表示されるとともに、ＡＶデータ受信装置２を通じてユーザ所望の機能条件がＡＶデータ送信装置１に送信されて設定される。
【０１８８】
更に、個別対応情報記憶部１０６ａ内には、ＡＶデータ受信装置２の機種ＩＤ又は装置ＩＤそれぞれに対して、その機種ＩＤ又は装置ＩＤを備えるＡＶデータ受信装置２と前回通信したときに設定された機能条件それぞれが登録された前回利用時設定テーブルが記録される。例えば、個別対応情報記憶部１０６ａ内の機能特定テーブルに、映像信号の圧縮方式としてＭＰＥＧ２＿ＴＳ方式とＭＰＥＧ２ＰＳ＿方式とが、再生時の解像度として３２０×２４０と６４０×４８０と７２０×４８０とが登録されているものとする。そして、この機能条件に対応している機種ＩＤ又は装置ＩＤを備えるＡＶデータ受信装置２が以前にＡＶデータ送信装置１と通信したとき、映像信号の圧縮方式としてＭＰＥＧ２＿ＰＳ方式が、再生時の解像度として７２０×４８０が選択されているものとする。このとき、この機種ＩＤ又は装置ＩＤに対して、映像信号の圧縮方式としてＭＰＥＧ２＿ＰＳ方式が、再生時の解像度として７２０×４８０がそれぞれ、前回利用時設定テーブルに登録される。以下では、第１の実施形態のように、機種ＩＤを使用するものとして説明する。
【０１８９】
このように、ＡＶデータ送信装置１における機能変更動作の動作方式として、複数の動作方式を備えるとき、ＳＴＥＰ７において、図２５のフローチャートに従って、予め設定された動作方式が選択され、その動作方式に従った機能条件が選択されて機能変更動作が行われる。即ち、まず、機能変更動作の動作方式としてユーザ設定方式が選択されたか否かがシステム制御部１０２で確認される（ＳＴＥＰ４００）。
【０１９０】
そして、ユーザ設定方式が選択されていることが確認されると（Ｙｅｓ）、ユーザによって設定される画質及び音質及び消費電力値に近い値の画質及び音質及び消費電力値とすることができる機能条件が選択される機能変更動作が行われる（ＳＴＥＰ４０１）。又、ユーザ設定方式が選択されていないとき（Ｎｏ）、機能変更動作の動作方式として最適値設定方式が選択されたか否かがシステム制御部１０２で確認される（ＳＴＥＰ４０２）。
【０１９１】
そして、最適値設定方式が選択されていることが確認されると（Ｙｅｓ）、最高画質及び最高音質及び最低消費電力となる機能条件が選択される機能変更動作が行われる（ＳＴＥＰ４０３）。又、最適値設定方式が選択されていないとき（Ｎｏ）、機能変更動作の動作方式として送信装置設定方式が選択されたか否かがシステム制御部１０２で確認される（ＳＴＥＰ４０４）。
【０１９２】
そして、送信装置設定方式が選択されていることが確認されると（Ｙｅｓ）、確認された機種ＩＤに対する機能条件が個別対応情報記憶部１０６ａ内の機能特定テーブルから読み出されて、表示部１０７に図２２のような表示が成される（ＳＴＥＰ４０５）。この表示部１０７の表示に従って入力部１０９が操作されて、各機能条件の設定が行われる（ＳＴＥＰ４０６）。その後、設定された機能条件に従った機能変更動作が行われる（ＳＴＥＰ４０７）。
【０１９３】
又、ＳＴＥＰ４０４で送信装置設定方式が選択されていないとき（Ｎｏ）、機能変更動作の動作方式として受信装置設定方式が選択されたか否かがシステム制御部１０２で確認される（ＳＴＥＰ４０８）。そして、受信装置設定方式が選択されていることが確認されると（Ｙｅｓ）、確認された機種ＩＤのＡＶデータ受信装置２に対して機能条件の設定を要求するための条件設定要求信号をデータ生成部１１４に与えた後、アンテナ１２２より高周波信号に変化してＡＶデータ受信装置２に送信する（ＳＴＥＰ４０９）。
【０１９４】
この条件設定要求信号を受信するＡＶデータ受信装置２は、自機器で設定できる機能条件がＢＩＯＳ部２０３から読み出されて、表示部２０７に図２２のような表示が成される。この表示部２０７の表示に従って入力部２０９が操作されて、ＡＶデータ受信装置２において各機能条件の設定が行われると、その後、設定された各機能条件を通知する機能条件通知信号がシステム制御部２０２で生成される。この機能条件通知信号がデータ生成部２１６に与えられると、アンテナ２１０より送信される。
【０１９５】
このＡＶデータ受信装置２から送信された機能条件通知信号をアンテナ１２２で受信すると、データ受信部１１８で確認された後、バス回線１２３を介してシステム制御部１０２に与えられ、機能条件通知信号より確認された機能条件が確認される（ＳＴＥＰ４１０）。そして、機能条件通知信号より確認された機能条件に従った機能変更動作が行われる（ＳＴＥＰ４１１）。又、ＳＴＥＰ４０８で受信装置設定方式が選択されていないとき（Ｎｏ）、機能変更動作の動作方式として前回利用時設定方式が選択されたか否かがシステム制御部１０２で確認される（ＳＴＥＰ４１２）。
【０１９６】
そして、前回利用時設定方式が選択されていることが確認されると（Ｙｅｓ）、確認された機種ＩＤのＡＶデータ受信装置２との通信が過去に行われて、前回通信時の機能条件が個別対応情報記憶部１０６ａ内の前回利用時設定テーブルに格納されているか否かが確認される（ＳＴＥＰ４１３）。このとき、前回通信時の機能条件が個別対応情報記憶部１０６ａ内の前回利用時設定テーブルに格納されている場合（Ｙｅｓ）、確認された機種ＩＤに対する機能条件が前回利用時設定テーブルから読み出されて、この機能条件に従った機能変更動作が行われる（ＳＴＥＰ４１４）。
【０１９７】
又、ＳＴＥＰ４１２において前回利用時設定方式が選択されていない場合（Ｎｏ）、又は、ＳＴＥＰ４１３において確認された機種ＩＤのＡＶデータ受信装置２との通信が過去に行われていない場合（Ｎｏ）、確認された機種ＩＤに対する機能条件それぞれにおける基本条件が機能特定テーブルから読み出されて、この機能条件の基本条件に従った機能変更動作が行われる（ＳＴＥＰ４１５）。
【０１９８】
尚、本実施形態では、上述のように、第１の実施形態と同様の機種ＩＤを利用したものとしたが、第２の実施形態と同様の装置ＩＤを利用したものにおいても同様の動作を行うことで実現可能である。
【０１９９】
＜第６の実施形態＞
本発明の第６の実施形態について、図面を参照して以下に説明する。本実施形態では、図１のように、ＡＶデータ無線通信システムが構成されるとともに、ＡＶデータ送信装置及びＡＶデータ受信装置及びＡＶデータ通信管理用サーバが、第１の実施形態と同様、図２〜図４のように構成される。又、ＡＶデータ送信装置とＡＶデータ受信装置との間で行われるＡＶデータや制御データの送受信動作についても、第１〜第３の実施形態と同一の動作を行うとともに、機能変更の初期化設定動作は、第３の実施形態と同一の動作を行う。
【０２００】
本実施形態では、ＡＶデータ受信装置２の図２６に示す機能データを装置ＩＤとは別の付加データとし、装置ＩＤが固有ＩＤでのみ構成されるものとする。この機能データは、８［ｂｉｔ］の機能条件データｄａ，ｄｂ，ｄｅ，ｄｆ，ｄｈ，ｄｉ，ｄｊと、９［ｂｉｔ］の機能条件データｄｃ，ｄｄ，ｄｇとを備える１２８［ｂｉｔ］のデータで構成される。尚、機能条件データｄａ〜ｄｊは、図１５の機能データと同様の機能条件を表すものである。又、以下では、装置ＩＤが固有ＩＤのみで構成されるため、この装置ＩＤを固有ＩＤと呼ぶこととする。
【０２０１】
又、図２６の機能データは、機能条件データｄａ〜ｄｊそれぞれにおいて、各桁が使用可能な機能条件を表す。尚、この機能条件データｄａ〜ｄｊそれぞれにおけるｘ桁目をＤ（ｘ）と表すものとする。例えば、映像信号の圧縮方式を表す機能条件データにおいては、Ｄ（１）が１となるとＭＰＥＧ２＿ＴＳ方式が、Ｄ（２）が１となるとＭＰＥＧ２＿ＰＳ方式が、Ｄ（３）が１となるとＭＰＥＧ４方式が、Ｄ（４）が１となるとＭＰＥＧ４＿ＡＶＣ方式が、それぞれ使用可能であることが確認される。よって、例えば、機能条件データｄａが”０００００１１０”とされると、映像信号の圧縮方式として、ＭＰＥＧ２＿ＰＳ方式及びＭＰＥＧ４が利用可能であることが表される。
【０２０２】
又、映像信号のビットレート及び再生時のフレームレート及び音声信号のビットレートなどを表す機能条件データｄｃ，ｄｄ，ｄｇでは、Ｄ（８）を１とすると固定ビット（フレーム）レートであることが、Ｄ（９）を１とすると最大ビット（フレーム）レートであることが表される。そして、この機能条件データｄｃ，ｄｄ，ｄｇは、Ｄ（１）〜Ｄ（７）の内容によって、採用可能なビット（フレーム）レートが確認される。
【０２０３】
このとき、ＡＶデータ送信装置１及びＡＶデータ通信管理用サーバ３に格納される機能特定テーブルには、機能条件データｄａ〜ｄｊそれぞれにおける各桁Ｄ（ｘ）が表す機能が登録される。よって、ＡＶデータ送信装置１が、ＡＶデータ受信装置２より固有ＩＤ及び機能データとを受信して、その機能データに含まれる各機能条件データｄａ〜ｄｊの各桁を確認したとき、その機能が登録されていないものを確認すると、その機能が機能特定テーブルに登録されていない機能条件データの桁数をＡＶデータ通信管理用サーバ３に通知する。そして、ＡＶデータ通信管理用サーバ３において、機能特定テーブルが参照されて、通知された機能条件データの桁数に対する機能が確認されて、ＡＶデータ送信装置２に送信され、ＡＶデータ送信装置２の機能特定テーブルに登録される。
【０２０４】
又、この機能データの機能条件データｄａ〜ｄｊを除く残りのデータ部分において、複数の機能条件が選択可能な機能条件データが存在するとき、第４の実施形態で説明した各機能条件データにおける基本条件を表す基本条件用データが構成される。この基本条件用データは、機能条件データｄａ〜ｄｊ毎に、その基本条件となる条件を表している桁数を表す３［ｂｉｔ］のデータを備える。更に、この基本条件用データにおいて、機能条件データｄｃ，ｄｄ，ｄｇについては、固定ビット（フレーム）レート又は最大ビット（フレーム）レートのいずれが選択されているかを示すデータが１［ｂｉｔ］加えられた４［ｂｉｔ］の構成とされる。
【０２０５】
即ち、例えば、映像信号の圧縮方式に関する基本条件が、ＭＰＥＧ４方式とされるとき、基本条件用データにおいてこの映像信号の圧縮方式について割り与えられた３［ｂｉｔ］のデータ部分が、３桁目のＭＰＥＧ４が基本条件として選択されることを示す”０１１”となる。又、映像信号のビットレートに関する基本条件が、最大ビットレートで８［Ｍｂｐｓ］とされるとき、２桁目の８［Ｍｂｐｓ］が基本条件として選択されたことを示す”０１０”に、最大ビットレートとされることを示す”１”が加えられた”１０１０”が、基本条件用データにおいてこの映像信号のビットレートについて割り与えられた４［ｂｉｔ］のデータ部分となる。
【０２０６】
更に、本実施形態において、第５の実施形態と同様、個別対応情報記憶部１０６ａには、固有ＩＤ毎に管理することで、各ＡＶデータ受信装置２毎に前回通信時の機能条件が管理されている前回利用時設定テーブルが格納される。この前回利用時設定テーブルにおいて登録されるデータ形式については、第５の実施形態のようにしても構わないし、又、上述の機能条件データと同様の形式としても構わないし、又、上述の基本条件用データと同様の形式としても構わない。
【０２０７】
このとき、本実施形態においても、第５の実施形態と同様、ＳＴＥＰ７における機能変更動作の動作方式として、「ユーザ設定方式」、「最適値設定方式」、「前回利用時設定方式」、「送信装置設定方式」、「受信装置設定方式」が選択可能である。そして、これらの動作方式は、予めユーザによって選択され、ＡＶデータ送信装置１に対して設定されている。
【０２０８】
そして、ＳＴＥＰ７における機能変更動作が行われるとき、第５の実施形態と同様、図２５のフローチャートに従って、予め設定された動作方式を選択され、その動作方式に従った機能条件が選択されて機能変更動作が行われる。このとき、設定された各動作方式における動作は、第５の実施形態と同様であるので、その詳細な説明は省略する。又、受信装置設定方式が選択されたとき、ＡＶデータ受信装置２からＡＶデータ送信装置１に対して送信される機能条件通知信号において、設定された機能条件を示すデータのデータ形式については、第５の実施形態のようにしても構わないし、又、上述の機能条件データと同様の形式としても構わないし、又、上述の基本条件用データと同様の形式としても構わない。
【０２０９】
又、本実施形態では、機能データと固有ＩＤとが分離されるものとしたが、第３の実施形態と同様、機能データと固有ＩＤとによって装置ＩＤが構成されるものとしても構わない。
【０２１０】
上述の各実施形態において、ＡＶデータ送信装置１において、機能変更を行うＡＶデータ受信装置２に対応する機能条件を表す機能データの符号やその機能条件を実現するためのソフトウェアが登録又は格納されていないとき、自動的に、ＡＶデータ通信管理用サーバ３に対して要求するものとしているが、自動的に行うか否かが選択されるようにしても構わない。
【０２１１】
このとき、ＡＶデータ送信装置１の表示部１０７又はＡＶデータ受信装置２の表示部２０７に、図２７のような表示が成されて、ＡＶデータ送信装置１の入力部１０９又はＡＶデータ受信装置２の入力部２０９が操作されて、自動的に行うか否かが設定される。そして、自動的に行わないように設定される場合、機能条件を表す機能データの符号やその機能条件を実現するためのソフトウェアが登録又は格納されていないことが確認されると、ＡＶデータ送信装置１の表示部１０７又はＡＶデータ受信装置２の表示部２０７にＡＶデータ通信管理用サーバ３に対して要求するか否かをユーザに確認するための表示を行う。その後、ユーザが必要とするときに、ＡＶデータ送信装置１の入力部１０９又はＡＶデータ受信装置２の入力部２０９が操作されて、ＡＶデータ通信管理用サーバ３に対して要求が成される。
【０２１２】
又、ＡＶデータ送信装置１における個別対応情報記憶部１０６ａは、記録装置部１０６内に設けられるものとしても構わないし、ＢＩＯＳ部１０３内に設けられるものとしても構わない。又、ＡＶデータ受信装置２における固有データ部２０５は、ＢＩＯＳ部２０３内に設けられても構わないし、その回路構成によって装置ＩＤや機種ＩＤを表すことができるハードワイヤードロジックで構成しても構わない。更に、各実施形態では、ＡＶデータの送受信が行われるＡＶデータ無線通信システムに関するものとしているが、ＡＶデータに限られるものではなく、他のデータにおけるデータ通信システムであっても構わない。又、無線通信システムに限らず、有線によるデータ通信システムにおいても適用可能である。
【０２１３】
又、ＡＶデータ送信装置１において、受信した装置ＩＤや機種ＩＤや機能データの機能条件が機能特定テーブルより確認できないとき、確認できなかった機能条件を通信管理用サーバ３から受信して機能特定テーブルに追加登録するものとしたが、確認できなかった受信した装置ＩＤや機種ＩＤや機能データの機能条件だけでなく、ＡＶデータ送信装置１の機能特定テーブルに登録されていない全ての機能条件を追加登録するようにしても構わない。即ち、ＡＶデータ通信管理用サーバ３が、追加登録を求めるＡＶデータ送信装置１に対して設定可能な機能条件を全て読み出して、ＡＶデータ送信装置１に送信し、この機能条件を受信したＡＶデータ送信装置１において機能特定テーブルを更新する。
【０２１４】
又、ＡＶデータ送信装置１における許可装置テーブルの更新についても、現在変更しようとしているＡＶデータ受信装置２に対する装置ＩＤや固有ＩＤだけでなく、未だＡＶデータ送信装置１の許可装置テーブルに登録されていない装置ＩＤや固有ＩＤについても、ＡＶデータ通信管理用サーバ３から送信されて、追加登録されるようにしても構わない。更に、変更する機能を実現するためのソフトウェアのダウンロードについても、現在変更しようとしていう機能に対するソフトウェアだけでなく、ＡＶデータ送信装置１に対して設定可能な機能のソフトウェアであって未だＡＶデータ送信装置１が備えていないソフトウェアについても、ＡＶデータ通信管理用サーバ３から送信されて、追加登録されるようにしても構わない。
【０２１５】
又、このようなＡＶデータ通信管理用サーバ３を用いたＡＶデータ送信装置１における機能特定テーブル及び許可装置テーブル及び機能実現のためのソフトウェアそれぞれの更新動作は、機能変更動作のための初期化設定動作を行うたびに行われるのではなく、定期的に行われるものとしても構わないし、ユーザによって指定されて行われるものとしても構わない。
【０２１６】
【発明の効果】
本発明によると、データ送信装置がデータ受信装置の固有データ又は機能データを受信することによって、データ通信を求めるデータ受信装置に対応したデータ通信機能を確認して、この確認したデータ通信機能に変更することができる。よって、現在設定されているデータ通信機能に対応していないデータ受信装置に対しても、その固有データ又は機能データから対応しているデータ通信機能を確認して、通信可能な状態にすることができる。又、データ通信管理用サーバにおいて、固有データ又は機能データに対するデータ通信機能及びその実現のためのソフトウェアを管理することにより、データ送信装置において確認不可能であったデータ通信機能及びソフトウェアを、データ通信管理用サーバよりダウンロードして追加することができる。
【０２１７】
又、本発明によると、データ送信装置が、固有データによりデータ受信装置の機種又は装置自体を確認することができる。よって、通信可能なデータ受信装置であるか否かをデータ送信装置で確認することができる。又、固有データによりデータ受信装置自体を確認する場合、データ送信装置に対して通信許可されたデータ受信装置であるか否かを確認することができる。又、データ通信管理用サーバにおいて、データ送信装置毎に固有データを管理することにより、各データ送信装置と通信可能なデータ受信装置を管理することができる。このとき、固有データが装置毎に設けられる場合、各データ送信装置に対して通信許可されたデータ受信装置をデータ通信管理用サーバで管理することができる。
【図面の簡単な説明】
【図１】本発明におけるデータ通信システムの構成を示すブロック図。
【図２】本発明のデータ送信装置の内部構成を示すブロック図。
【図３】本発明のデータ受信装置の内部構成を示すブロック図。
【図４】本発明のデータ通信管理用サーバの内部構成を示すブロック図。
【図５】第１の実施形態におけるデータ送信装置に格納された機能特定テーブルの構成例を示す図。
【図６】図２のデータ送信装置内の映像エンコード部の内部構成を示すブロック図。
【図７】図２のデータ送信装置内の音声エンコード部の内部構成を示すブロック図。
【図８】第１の実施形態におけるデータ送信装置の初期化設定動作を示すフローチャート。
【図９】データ送信装置の機能変更動作を示すフローチャート。
【図１０】データ送信装置の電源ＯＦＦ時の動作を示すフローチャート。
【図１１】第２の実施形態におけるデータ通信管理用サーバに格納された機種特定テーブルの構成例を示す図。
【図１２】第２の実施形態におけるデータ通信管理用サーバに格納された機能特定テーブルの構成例を示す図。
【図１３】第２の実施形態におけるデータ送信装置に格納された機能特定テーブルの構成例を示す図。
【図１４】機能データを要求されたときの第２の実施形態におけるデータ通信管理用サーバの動作を示すフローチャート。
【図１５】第３の実施形態における装置ＩＤの構成例を示す図。
【図１６】第３の実施形態におけるデータ送信装置に格納された機能特定テーブルの構成例を示す図。
【図１７】第３の実施形態におけるデータ通信管理用サーバに格納された機能特定テーブルの構成例を示す図。
【図１８】第３の実施形態におけるデータ通信管理用サーバに格納された許可装置テーブルの構成例を示す図。
【図１９】第３の実施形態におけるデータ送信装置の初期化設定動作を示すフローチャート。
【図２０】機能データを要求されたときの第３の実施形態におけるデータ通信管理用サーバの動作を示すフローチャート。
【図２１】機能付加データの構成例を示す図。
【図２２】第４の実施形態のデータ受信装置における機能条件を選択するための表示例。
【図２３】第４の実施形態のデータ通信システムの動作を示すブロック図。
【図２４】第５の実施形態において、機能変更動作を行うときの動作方式を設定する際の表示例。
【図２５】第５の実施形態のデータ送信装置における機能変更動作を行うために設定された動作方式の選択動作を示すフローチャート。
【図２６】第６の実施形態における機能データの構成例を示す図。
【図２７】自動的にダウロード動作を行うか否かの選択を行う際の表示例。
【図２８】従来のデータ送信装置の内部構成を示すブロック図。
【図２９】従来のデータ受信装置の内部構成を示すブロック図。
【符号の説明】
１    ＡＶデータ送信装置
２    ＡＶデータ受信装置
３    ＡＶデータ通信管理用サーバ
４    ネットワーク
１０６ａ    個別対応情報記憶部
１２４    ネットワークインターフェース
１２５    ネットワーク制御部
２０６    固有データ部
【図１】
2004312185.tif 000003
【図２】
2004312185.tif 000004
【図３】
2004312185.tif 000005
【図４】
2004312185.tif 000006
【図５】
2004312185.tif 000007
【図６】
2004312185.tif 000008
【図７】
2004312185.tif 000009
【図８】
2004312185.tif 000010
【図９】
2004312185.tif 000011
【図１０】
2004312185.tif 000012
【図１１】
2004312185.tif 000013
【図１２】
2004312185.tif 000014
【図１３】
2004312185.tif 000015
【図１４】
2004312185.tif 000016
【図１５】
2004312185.tif 000017
【図１６】
2004312185.tif 000018
【図１７】
2004312185.tif 000019
【図１８】
2004312185.tif 000020
【図１９】
2004312185.tif 000021
【図２０】
2004312185.tif 000022
【図２１】
2004312185.tif 000023
【図２２】
2004312185.tif 000024
【図２３】
2004312185.tif 000025
【図２４】
2004312185.tif 000026
【図２５】
2004312185.tif 000027
【図２６】
2004312185.tif 000028
【図２７】
2004312185.tif 000029
【図２８】
2004312185.tif 000030
【図２９】
2004312185.tif 000031